(57)【要約】【課題】  積層母基板をスクライブ・アンド・ブレーク法で個々の単一表示装置基板に効率よく分離する。【解決手段】  搬入された積層母基板ＰＮを起立させた状態で第１の基板ＳＵＢ１と第２の基板ＳＵＢ２のそれぞれに同一位置でスクライブ線ＳＢＬ１、ＳＢＬ２を加工し、先ず周辺のブレークと周辺破材の除去を行って短冊状基板へのブレークを行い、その後に単位表示装置基板ＰＮＬにブレークして分離後に各単位表示装置基板ＰＮＬの中間破材を分離除去する。【選択図】        図１
2004348111.tif 000002
【特許請求の範囲】
【請求項１】
対向させて貼り合わされた第１基板及び第２基板と該基板間に形成された少なくとも一つの表示領域とを含む被加工物を、該被加工物の主面と重力方向との角度を小さくするように起こす被加工物の起立工程、
前記第１基板の主面に第１スクライブ線を形成する第１スクライブ工程、
前記被加工物を前記第２基板側に折り曲げて、前記第１基板を前記第１スクライブ線で分断する第１ブレーク工程、
前記第２基板の主面に第２スクライブ線を形成する第２スクライブ工程、及び
前記被加工物を前記第１基板側に折り曲げて、前記第２基板を前記第２スクライブ線で分断する第２ブレーク工程をこの順に行い、
前記被加工物の前記少なくとも一つの表示領域が形成された部分とこれに隣接する部分とを分離する表示装置の製造方法。
【請求項２】
前記少なくとも一つの表示領域が形成された部分に隣接する部分は破材として廃棄される請求項１記載の表示装置の製造方法。
【請求項３】
前記少なくとも一つの表示領域が形成された部分に隣接する部分には別の表示領域が形成される請求項１記載の表示装置の製造方法。
【請求項４】
前記第２ブレーク工程の終了後に、前記第１スクライブ工程、前記第１ブレーク工程、前記第２スクライブ工程、並びに前記第２ブレーク工程の一連、又は前記第２スクライブ工程、前記第２ブレーク工程、前記第１スクライブ工程、並びに前記第１ブレーク工程の一連のいずれか一方を繰り返す請求項１記載の表示装置の製造方法。
【請求項５】
前記第２ブレーク工程の終了後に前記被加工物をその主面内に回転させた後、該第２ブレーク工程に続く前記一連の工程のいずれか一方を開始する請求項４記載の表示装置の製造方法。
【請求項６】
対向させて貼り合わされた第１基板及び第２基板、該基板間に形成された表示領域、及び該第１基板の該第２基板側主面に形成された該表示領域に信号又は電力を送る電極を含み且つ該表示領域に隣接する端子領域を含み且つ前記電極は前記第２基板で覆われている被加工物を用意する工程、
前記被加工物を前記表示領域及び前記端子領域で夫々挟む工程、
前記第２基板の主面の前記表示領域と前記端子領域との境界に対応する部分にスクライブ線を形成する工程、
前記被加工物を前記第１基板側に折り曲げて、前記第２基板を前記スクライブ線で分断する工程、及び
前記スクライブ線で分断された前記第２基板の前記端子領域側の部分を、該端子領域側の部分の前記表示領域とは反対側の一辺で前記第１基板側に圧して該第２基板の端子領域側の部分を該第１基板及び前記第２基板の前記表示領域側の部分から剥離する工程
を備えた表示装置の製造方法。
【請求項７】
前記第２基板の前記端子領域側の部分を剥離する工程の後、前記被加工物をその主面内で回転させ、続いて、前記被加工物を表示領域及び端子領域で夫々挟む工程から前記第２基板の前記端子領域側の部分の剥離する工程に到る一連の工程を繰り返す請求項６記載の表示装置の製造方法。
【請求項８】
水平に搬入された積層母基板を鉛直方向に対して僅かに傾斜させて起立させる積層母基板の起立工程と、
前記積層母基板に含まれる第１基板の表面に、この積層母基板の主面内に並ぶ破材部分及び複数の単位表示装置基板部分の夫々の境界に対応させて、第１の方向及びこれに交差する第２の方向に夫々延在する複数の第１のスクライブ線を形成する第１スクライブ工程と、
前記積層母基板に含まれ且つ前記第１基板に対向する第２基板の表面に、前記複数の第１スクライブ線に夫々対向する複数の第２スクライブ線を形成する第２スクライブ工程と、
前記複数の第１スクライブ線及び前記複数の第２スクライブ線の前記破材部分に隣接する夫々に沿って前記積層母基板を分断し、前記複数の単位表示装置基板部分が形成された積層母基板から前記破材部分を分離する第１ブレーク工程と、
前記破材部分が切り離された前記積層母基板を前記第１スクライブ線と前記第２スクライブ線の前記第１方向に延在する夫々に沿って分断し、前記複数の単位表示装置基板部分の一つと前記第２方向沿いにこれに隣接する他の一つとを分離して、前記複数の単位表示装置基板部分の少なくとも一つを有し且つ前記第１方向に延在する短冊状の積層基板に分離する第２ブレーク工程と、
前記短冊状の積層基板を前記第１スクライブ線と前記第２スクライブ線の前記第２方向に延在する夫々に沿って分断し、これに形成された単位表示装置基板を切り出す第３ブレーク工程と、
前記分離された単位表示装置基板に含まれる前記第１基板及び前記第２基板の一方の主面端部にその隣接する２辺に沿う第３スクライブ線と第４スクライブ線とを夫々形成する第３スクライブ工程と、
前記第３のスクライブ線に沿って前記第１基板及び前記第２基板の前記一方を分断して、前記２辺の一方に沿うその周縁を破材として分離する第４ブレーク工程と、
前記第４のスクライブ線に沿って前記第１基板及び前記第２基板の前記一方を分断して、前記２辺の他方に沿うその周縁を破材として分離する第５ブレーク第２工程とを、
前記積層母基板、前記短冊状の積層基板、及び前記単位表示装置基板を夫々起立させた状態に保ちながら順次行う表示装置の製造方法。
【請求項９】
対向させて貼り合わされた第１基板及び第２基板と該基板間に形成された少なくとも一つの表示領域とを含む被加工物を、該被加工物の主面と重力方向との角度を小さくするように起こす被加工物の起立工程、
前記第１基板の主面に第１スクライブ線を形成する第１スクライブ工程、
この第１スクライブ工程と略同時もしくは追随して前記第１スクライブ線に沿って前記第２基板の主面側から押圧して前記第１基板を前記第１スクライブ線で分断する第１ブレーク工程、
前記第２基板の主面に第２スクライブ線を形成する第２スクライブ工程、
この第２スクライブ工程と略同時もしくは追随して前記第２スクライブ線に沿って前記第１基板の主面側から押圧して前記第２基板を前記第２スクライブ線で分断する第２ブレーク工程を備え、
前記被加工物の前記少なくとも一つの表示領域が形成された部分とこれに隣接する部分とを分離する表示装置の製造方法。
【請求項１０】
前記スクライブ工程及びブレーク工程を、前記第１基板と第２基板で略並行して行うことを特徴とする請求項９記載の表示装置の製造方法。
【請求項１１】
前記少なくとも一つの表示領域が形成された部分に隣接する部分は破材として廃棄される請求項９又は請求項１０記載の表示装置の製造方法。
【請求項１２】
前記少なくとも一つの表示領域が形成された部分に隣接する部分には別の表示領域が形成される請求項９乃至請求項１１のいずれかに記載の表示装置の製造方法。
【請求項１３】
前記第２ブレーク工程の終了後に、前記第１スクライブ工程、前記第１ブレーク工程、前記第２スクライブ工程、並びに前記第２ブレーク工程の一連、又は前記第２スクライブ工程、前記第２ブレーク工程、前記第１スクライブ工程、並びに前記第１ブレーク工程の一連のいずれか一方を繰り返す請求項９乃至請求項１２のいずれかに記載の表示装置の製造方法。
【請求項１４】
前記第２ブレーク工程の終了後に前記被加工物をその主面内に回転させた後、該第２ブレーク工程に続く前記一連の工程のいずれか一方を開始する請求項１３記載の表示装置の製造方法。
【請求項１５】
対向させて貼り合わされた第１基板及び第２基板、該基板間に形成された表示領域、及び該第１基板の該第２基板側主面に形成された該表示領域に信号又は電力を送る電極を含み且つ該表示領域に隣接する端子領域を含み且つ前記電極は前記第２基板で覆われている被加工物を用意する工程、
前記被加工物を前記表示領域及び前記端子領域で夫々挟む工程、
前記第２基板の主面の前記表示領域と前記端子領域との境界に対応する部分にスクライブ線を形成する第１スクライブ工程、
この第１スクライブ工程と略同時もしくは追随して前記被加工物の前記スクライブ線に沿って前記第１基板側から押圧して、前記第２基板を前記スクライブ線で分断する工程、及び
前記スクライブ線で分断された前記第２基板の前記端子領域側の部分を、該端子領域側の部分の前記表示領域とは反対側の一辺で前記第１基板側に圧して該第２基板の端子領域側の部分を該第１基板及び前記第２基板の前記表示領域側の部分から剥離する工程
を備えた表示装置の製造方法。
【請求項１６】
前記第２基板の前記端子領域側の部分を剥離する工程の後、前記被加工物をその主面内で回転させ、続いて、前記被加工物を表示領域及び端子領域で夫々挟む工程から前記第２基板の前記端子領域側の部分の剥離する工程に到る一連の工程を繰り返す請求項１５記載の表示装置の製造方法。
【請求項１７】
水平に搬入された積層母基板を鉛直方向に対して僅かに傾斜させて起立させる積層母基板の起立工程と、
前記積層母基板に含まれる第１基板の表面に、この積層母基板の主面内に並ぶ破材部分及び複数の単位表示装置基板部分の夫々の境界に対応させて、第１の方向及びこれに交差する第２の方向に夫々延在する複数の第１のスクライブ線を形成する第１スクライブ工程と、
この第１スクライブ工程と略同時もしくは追随して前記複数の第１スクライブ線に沿って前記第２基板の主面側から押圧して前記第１基板を前記複数の第１スクライブ線で分断する第１ブレーク工程と、
前記積層母基板に含まれ且つ前記第１基板に対向する第２基板の表面に、前記複数の第１スクライブ線に夫々対向する複数の第２スクライブ線を形成する第２スクライブ工程と、
この第２スクライブ工程と略同時もしくは追随して前記複数の第２スクライブ線に沿って前記第１基板の主面側から押圧して前記第２基板を前記複数の第２スクライブ線で分断する第２ブレーク工程と、
前記複数の第１スクライブ線及び前記複数の第２スクライブ線の前記破材部分に隣接する夫々に沿って前記積層母基板を分断し、前記複数の単位表示装置基板部分が形成された積層母基板から前記破材部分を分離する第３ブレーク工程と、
前記破材部分が切り離された前記積層母基板を前記第１スクライブ線と前記第２スクライブ線の前記第１方向に延在する夫々に沿って分断し、前記複数の単位表示装置基板部分の一つと前記第２方向沿いにこれに隣接する他の一つとを分離して、前記複数の単位表示装置基板部分の少なくとも一つを有し且つ前記第１方向に延在する短冊状の積層基板に分離する第４ブレーク工程と、
前記短冊状の積層基板を前記第１スクライブ線と前記第２スクライブ線の前記第２方向に延在する夫々に沿って分断し、これに形成された単位表示装置基板を切り出す第５ブレーク工程と、
前記分離された単位表示装置基板に含まれる前記第１基板及び前記第２基板の一方の主面端部にその隣接する２辺に沿う第３スクライブ線と第４スクライブ線とを夫々形成する第３スクライブ工程と、
この第３スクライブ工程と略同時もしくは追随して前記第３及び第４スクライブ線に沿って前記第１基板及び前記第２基板の他方の基板の主面側から押圧して第３及び第４スクライブ線の開裂を進行させる第６ブレーク工程と、
前記第３のスクライブ線に沿って前記第１基板及び前記第２基板の前記一方を分断して、前記２辺の一方に沿うその周縁を破材として分離する第７ブレーク工程と、
前記第４のスクライブ線に沿って前記第１基板及び前記第２基板の前記一方を分断して、前記２辺の他方に沿うその周縁を破材として分離する第８ブレーク工程とを、
前記積層母基板、前記短冊状の積層基板、及び前記単位表示装置基板を夫々起立させた状態に保ちながら順次行う表示装置の製造方法。
【請求項１８】
対向させて貼り合わされた第１基板及び第２基板と該基板間に形成された少なくとも一つの表示領域とを含む被加工物を、該被加工物の主面と重力方向との角度を小さくするように起こす被加工物の起立工程、
前記第１基板の主面に第１スクライブ線を形成する第１スクライブ工程、
この第１スクライブ工程と略同時もしくは追随して前記第１スクライブ線に沿って前記第２基板の主面側から押圧して前記第１基板の前記第１スクライブ線の開裂を進行させる第１押圧工程、
前記第１基板を第１スクライブ線で分断する第１ブレーク工程、
前記第２基板の主面に第２スクライブ線を形成する第２スクライブ工程、
この第２スクライブ工程と略同時もしくは追随して前記第２スクライブ線に沿って前記第１基板の主面側から押圧して前記第２基板の前記第２スクライブ線の開裂を進行させる第２押圧工程、
前記第２基板を前記第２スクライブ線で分断する第２ブレーク工程を備え、
前記被加工物の前記少なくとも一つの表示領域が形成された部分とこれに隣接する部分とを分離する表示装置の製造方法。
【請求項１９】
前記スクライブ工程及び押圧工程を、前記第１基板と第２基板で略並行して行うことを特徴とする請求項１８記載の表示装置の製造方法。
【請求項２０】
前記少なくとも一つの表示領域が形成された部分に隣接する部分は破材として廃棄される請求項１８又は請求項１９に記載の表示装置の製造方法。
【請求項２１】
前記少なくとも一つの表示領域が形成された部分に隣接する部分には別の表示領域が形成される請求項１８乃至請求項２０のいずれかに記載の表示装置の製造方法。
【請求項２２】
前記第２ブレーク工程の終了後に、前記第１スクライブ工程、前記第１押圧工程、前記第１ブレーク工程、前記第２スクライブ工程、前記第２押圧工程並びに前記第２ブレーク工程の一連、又は前記第２スクライブ工程、前記第２押圧工程、前記第２ブレーク工程、前記第１スクライブ工程、前記第１押圧工程並びに前記第１ブレーク工程の一連のいずれか一方を繰り返す請求項１８記載の表示装置の製造方法。
【請求項２３】
前記第２ブレーク工程の終了後に前記被加工物をその主面内に回転させた後、該第２ブレーク工程に続く前記一連の工程のいずれか一方を開始する請求項２２記載の表示装置の製造方法。
【請求項２４】
対向させて貼り合わされた第１基板及び第２基板、該基板間に形成された表示領域、及び該第１基板の該第２基板側主面に形成された該表示領域に信号又は電力を送る電極を含み且つ該表示領域に隣接する端子領域を含み且つ前記電極は前記第２基板で覆われている被加工物を用意する工程、
前記被加工物を前記表示領域及び前記端子領域で夫々挟む工程、
前記第２基板の主面の前記表示領域と前記端子領域との境界に対応する部分にスクライブ線を形成する第１スクライブ工程、
この第１スクライブ工程と略同時もしくは追随して前記被加工物の前記スクライブ線に沿って前記第１基板側から押圧して前記スクライブ線の開裂を進行させる第１押圧工程、
前記第２基板を前記スクライブ線で分断する第１ブレーク工程、及び
前記スクライブ線で分断された前記第２基板の前記端子領域側の部分を、該端子領域側の部分の前記表示領域とは反対側の一辺で前記第１基板側に圧して該第２基板の端子領域側の部分を該第１基板及び前記第２基板の前記表示領域側の部分から剥離する工程、
を備えた表示装置の製造方法。
【請求項２５】
前記第２基板の前記端子領域側の部分を剥離する工程の後、前記被加工物をその主面内で回転させ、続いて、前記被加工物を表示領域及び端子領域で夫々挟む工程から前記第２基板の前記端子領域側の部分の剥離する工程に到る一連の工程を繰り返す請求項２４記載の表示装置の製造方法。
【請求項２６】
水平に搬入された積層母基板を鉛直方向に対して僅かに傾斜させて起立させる積層母基板の起立工程と、
前記積層母基板に含まれる第１基板の表面に、この積層母基板の主面内に並ぶ破材部分及び複数の単位表示装置基板部分の夫々の境界に対応させて、第１の方向及びこれに交差する第２の方向に夫々延在する複数の第１のスクライブ線を形成する第１スクライブ工程と、
この第１スクライブ工程と略同時もしくは追随して前記複数の第１スクライブ線に沿って前記第２基板の主面側から押圧して第１スクライブ線の開裂を進行させる第１押圧工程、
前記第１基板を前記複数の第１スクライブ線で分断する第１ブレーク工程、
前記積層母基板に含まれ且つ前記第１基板に対向する第２基板の表面に、前記複数の第１スクライブ線に夫々対向する複数の第２スクライブ線を形成する第２スクライブ工程と、
この第２スクライブ工程と略同時もしくは追随して前記複数の第２スクライブ線に沿って前記第１基板の主面側から押圧して第２スクライブ線の開裂を進行させる第２押圧工程、
前記第２基板を前記複数の第２スクライブ線で分断する第２ブレーク工程、
前記複数の第１スクライブ線及び前記複数の第２スクライブ線の前記破材部分に隣接する夫々に沿って前記積層母基板を分断し、前記複数の単位表示装置基板部分が形成された積層母基板から前記破材部分を分離する第３ブレーク工程と、
前記破材部分が切り離された前記積層母基板を前記第１スクライブ線と前記第２スクライブ線の前記第１方向に延在する夫々に沿って分断し、前記複数の単位表示装置基板部分の一つと前記第２方向沿いにこれに隣接する他の一つとを分離して、前記複数の単位表示装置基板部分の少なくとも一つを有し且つ前記第１方向に延在する短冊状の積層基板に分離する第４ブレーク工程と、
前記短冊状の積層基板を前記第１スクライブ線と前記第２スクライブ線の前記第２方向に延在する夫々に沿って分断し、これに形成された単位表示装置基板を切り出す第５ブレーク工程と、
前記分離された単位表示装置基板に含まれる前記第１基板及び前記第２基板の一方の主面端部にその隣接する２辺に沿う第３スクライブ線と第４スクライブ線とを夫々形成する第３スクライブ工程と、
この第３スクライブ工程と略同時もしくは追随して前記第３及び第４スクライブ線に沿って前記第１基板及び前記第２基板の他方の基板の主面側から押圧して第３及び第４スクライブ線の開裂を進行させる第３押圧工程と、
前記第３のスクライブ線に沿って前記第１基板及び前記第２基板の前記一方を分断して、前記２辺の一方に沿うその周縁を破材として分離する第６ブレーク工程と、
前記第４のスクライブ線に沿って前記第１基板及び前記第２基板の前記一方を分断して、前記２辺の他方に沿うその周縁を破材として分離する第７ブレーク工程とを、
前記積層母基板、前記短冊状の積層基板、及び前記単位表示装置基板を夫々起立させた状態に保ちながら順次行う表示装置の製造方法。
【請求項２７】
第１の方向及びこれに交差する第２の方向に広がる２つの主面を有し且つ該主面内に少なくとも一つの表示領域が形成された被加工物を第１の方向に搬送する搬送機構、
前記被加工物の前記２つの主面に夫々当てられる一対の治具を含み且つ該一対の治具で被加工物を挟む第１の保持機構、
前記第１の方向沿いに前記第１の保持機構と並び且つ前記被加工物の前記２つの主面に夫々当てられる一対の治具を含み且つ該一対の治具で被加工物を挟む第２の保持機構、及び
前記第１の保持機構と前記第２の保持機構との間において前記第１の方向及び前記第２の方向に夫々交差する第３方向沿いに移動し且つ前記被加工物の前記２つの主面のいずれかにスクライブ線を形成するスクライブ機構を備え、
前記第１の保持機構及び前記第２の保持機構に夫々備えられる前記治具の各々は前記第１方向及び前記第３方向沿いに広がる平面で並進運動し、
前記第１の保持機構及び前記第２の保持機構の少なくとも一方に備えられる前記一対の治具の各々は前記第１方向及び前記第３方向沿いに広がる平面で回転運動する表示装置の製造装置。
【請求項２８】
前記治具は前記第２方向に延びて前記被加工物の主面に接するバー状に形成されている請求項２７記載の表示装置の製造装置。
【請求項２９】
前記スクライブ機構は、前記第２方向沿いに動く罫書き針又はスクライブ・ホイールを備える請求項２７記載の表示装置の製造装置。
【請求項３０】
前記被加工物の主面の一方を保持し又はこれに吸着するステージを有し、前記被加工物を前記第１方向及び前記第２方向沿いに広がる平面内で回転させる回転機構を更に備える請求項２７記載の表示装置の製造装置。
【請求項３１】
前記第１の保持機構及び前記第２の保持機構の少なくとも一方に備えられる一対の治具の少なくとも一つは、前記第１方向及び前記第３方向沿いに広がる平面にて前記第２方向に延びる複数の軸の夫々を中心とした複数種の回転運動を行う請求項２７記載の表示装置の製造装置。
【請求項３２】
前記搬送機構は前記被加工物をその前記第１方向に沿う一辺で支えて該被加工物を該第１方向に搬送するベルトコンベアと、前記第３方向に沿い前記ベルトコンベアに並び且つ前記被加工物の前記２つの主面の一方に対向する主面を有する定盤とを備え、前記定盤の主面には前記被加工物の一方の主面に空気を吹き付ける開口が設けられ、前記搬送機構は前記ベルトコンベアと前記定盤とにより前記被加工物を重力方向に起こされ且つその前記一方の主面が該定盤の主面より浮上した状態で搬送する請求項２７記載の表示装置の製造装置。
【請求項３３】
第１の方向及びこれに交差する第２の方向に広がる２つの主面を有し且つ該主面内に少なくとも一つの表示領域が形成された被加工物を第１の方向に搬送する搬送機構、
前記被加工物の前記２つの主面に夫々当てられる一対の治具を含み且つ該一対の治具で被加工物を挟む第１の保持機構、
前記第１の方向沿いに前記第１の保持機構と並び且つ前記被加工物の前記２つの主面に夫々当てられる一対の治具を含み且つ該一対の治具で被加工物を挟む第２の保持機構、
前記第１の保持機構と前記第２の保持機構との間において前記第１の方向及び前記第２の方向に夫々交差する第３の方向沿いに移動し且つ前記被加工物の前記２つの主面のいずれかにスクライブ線を形成するスクライブ機構、
及び
前記第１の保持機構と前記第２の保持機構との間において前記被加工物を挟んで前記スクライブ機構と対向配置され、前記第１の方向及び前記第２の方向と夫々交差する第３の方向沿いに移動し且つ前記被加工物の一つの主面に形成されたスクライブ線を他の主面側から押圧して前記スクライブ線の開裂を進行させる押圧機構を備え、
前記第１の保持機構及び前記第２の保持機構に夫々備えられる前記治具の各々は前記第１方向及び前記第３方向沿いに広がる平面で並進運動し、
前記第１の保持機構及び前記第２の保持機構の少なくとも一方に備えられる前記一対の治具の各々は前記第１方向及び前記第３方向沿いに広がる平面で回転運動する表示装置の製造装置。
【請求項３４】
前記治具は前記第２方向に延びて前記被加工物の主面に接するバー状に形成されている請求項３３記載の表示装置の製造装置。
【請求項３５】
前記スクライブ機構は、前記第２方向沿いに動く罫書き針又はスクライブ・ホイールを備える請求項３３記載の表示装置の製造装置。
【請求項３６】
前記押圧機構は、ブレークローラを備える請求項３３記載の表示装置の製造装置。
【請求項３７】
前記押圧機構は、ブレークローラと、このブレークローラと前記被加工物を挟んで対向配置されたブレーク補助ローラを備える請求項３３記載の表示装置の製造装置。
【請求項３８】
前記押圧機構は、前記罫書き針又はスクライブ・ホイールと前記被加工物を挟んで対向配置された反力押え用スクライブ補助ローラを備える請求項３３記載の表示装置の製造装置。
【請求項３９】
前記被加工物の主面の一方を保持し又はこれに吸着するステージを有し、前記被加工物を前記第１方向及び前記第２方向沿いに広がる平面内で回転させる回転機構を更に備える請求項３３記載の表示装置の製造装置。
【請求項４０】
前記第１の保持機構及び前記第２の保持機構の少なくとも一方に備えられる一対の治具の少なくとも一つは、前記第１方向及び前記第３方向沿いに広がる平面にて前記第２方向に延びる複数の軸の夫々を中心とした複数種の回転運動を行う請求項３３記載の表示装置の製造装置。
【請求項４１】
前記搬送機構は前記被加工物をその前記第１方向に沿う一辺で支えて該被加工物を該第１方向に搬送するベルトコンベアと、前記第３の方向に沿い前記ベルトコンベアに並び且つ前記被加工物の前記２つの主面の一方に対向する主面を有する定盤とを備え、前記定盤の主面には前記被加工物の一方の主面に空気を吹き付ける開口が設けられ、前記搬送機構は前記ベルトコンベアと前記定盤とにより前記被加工物を重力方向に起こされ且つその前記一方の主面が該定盤の主面より浮上した状態で搬送する請求項３３記載の表示装置の製造装置。
【発明の詳細な説明】
【技術分野】
【０００１】
本発明は、積層母基板から個々の単位表示装置基板を分離する表示装置の製造方法及び製造装置に関する。
【背景技術】
【０００２】
平板型の表示装置は、複数の単位表示装置の画素領域を作り込んで貼り合わせた第１の基板（一般にガラス基板、以下単に基板）と第２の基板からなる２枚の大形基板（積層母基板）を個々の単位表示装置基板に分離し、該画素領域から引き出された端子に駆動回路を組み込んで表示装置を構成している。この積層母基板を個々の単位表示装置基板に分離するには、例えば「特許文献１」に記載されたように、第１の基板にスクライブ線を加工し、表裏反転後該スクライブ線に沿ってブレークする。次いで、第２の基板にスクライブ線を加工し、再度表裏反転し、このスクライブ線に沿ってブレークする。その後、端子部分を露出させるための周辺部分を破材として除去する。
【０００３】
このブレークでは、スクライブ線を加工した積層母基板をゴムやスポンジ等のクッションシートの上にステンレス板などの金属板を敷いたブレークテーブル上に、ブレークするスクライブ線を該ブレークテーブル側にして載置し、スクライブ線に沿って該スクライブ線と反対側からゴム材等からなるブレークバーで叩く、または押し圧力を加えてブレークする、所謂スクライブ・アンド・ブレーク方法が採用されている。
【０００４】
又、「特許文献２」ではスクライブ線を挟んで一対のクランプでそれぞれ積層ガラス基板を挟持し、前記クランプの一方を回動させてスクライブ線でブレークするスクライブ・アンド・ブレーク方法が開示されている。
【０００５】
図１９は従来のスクライブ・アンド・ブレーク法におけるスクライブ線の加工例の説明図である。ここでは、２枚の基板ＳＵＢ１とＳＵＢ２からなる積層母基板から計９枚の単位表示装置基板を取る場合を例として示す。第１の基板ＳＵＢ１の表面（図２２では積層母基板の表面）にはＸ方向に４本、Ｙ方向に４本の計８本のスクライブ線ＳＢＬ１を加工し、第２の基板ＳＵＢ２の表面（積層母基板の背面）に加工されるスクライブ線ＳＢＬ２は、第１の基板ＳＵＢ１のスクライブ線と同一位置に加工される８本のスクライブ線の外にさらに４本のスクライブ線が加工される。したがって、スクライブ線は表裏合計で２０本必要となる。
【０００６】
すなわち、積層母基板の周辺には第１および第２の基板で表裏同一位置にスクライブ線が加工され、このスクライブ線で分離される部分は破材となる。また、積層母基板の内側に加工されるスクライブ線は表裏で同一位置に加工されるものと、第２の基板ＳＵＢ２にのみスクライブ線ＳＢＬ１と異なる位置にスクライブ線が加工される。第２の基板ＳＵＢ２にのみ加工されるスクライブ線と第１の基板のスクライブ線と一致するスクライブ線との間の基板は個々の単位表示装置基板の端子部を露出させるために除去される破材となる。
【０００７】
図２０はスクライブ線を加工した積層母基板をブレークして単位表示装置基板に分離する工程の説明図である。第１の基板ＳＵＢ１側のスクライブ線ＳＢＬ１でブレーク済の積層母基板ＰＮを、その第２の基板ＳＵＢ２側のスクライブ線ＳＢＬ２でブレークする様子を示す。第１の基板ＳＵＢ１をブレークした積層母基板は移載装置ＴＦＤでブレークテーブルＢＫＴ上に載置される。このとき、ブレークすべき第２の基板ＳＵＢ２のスクライブ線ＳＢＬ２をブレークテーブルＢＫＴ側に置く（ａ）。次に、第２の基板ＳＵＢ２側のスクライブ線ＳＢＬ２の直上からブレークバーで矢印Ｐで示す叩き、加圧を施してブレーク端ＢＫ２で示すブレークを行う（ｂ）。
【０００８】
その結果、第１の基板ＳＵＢ１のブレーク端ＢＫ１と第２の基板ＳＵＢ２のブレーク端ＢＫ２とで単位表示装置基板ＰＮＬに分離される（ｃ）。符号ＷＴ１とＷＴ２は不要な周辺破材、ＷＴＭは各単位表示装置基板ＰＮＬの端子露出部分の不要な破材の中間破材（中抜き破材とも称する）である。
【特許文献１】特開平６−４８７５５号公報
【特許文献２】特開平６−３６３３号公報
【発明の開示】
【発明が解決しようとする課題】
【０００９】
従来のスクライブ・アンド・ブレーク法では、スクライブ線の加工とブレークは全て積層母基板をスクライブテーブルやブレークテーブル上に水平に載置して行われる。そのため、積層母基板を構成する第１の基板と第２の基板のそれぞれにスクライブ線を加工する工程、第１の基板と第２の基板のそれぞれをブレークする工程はすべてスクライブテーブルやブレークテーブルに対して反転させる工程が必要となる。したがって、煩雑な工程を複数経ることになり、その途上で基板の破壊、クラックの発生頻度が多くなって、結果的に歩留り向上の阻害要因となっている。
【００１０】
図２１はスクライブ・アンド・ブレーク法を用いた基板分離例を図２０の中間破材部分のブレークの説明図である。図中、積層母基板ＰＮはクッション材ＣＳＮと金属板ＭＴＬで構成される。積層母基板ＰＮをブレークテーブルＢＫＴの金属材ＭＴＬ上に水平に載置し、第２の基板ＳＵＢ２のスクライブ線ＳＢＬ２で該第２の基板ＳＵＢ２にのみブレークを施す際、スクライブ線の無い第１の基板ＳＵＢ１までブレークされる場合がある（符号ＮＧ１で示す）。これは積層母基板ＰＮに備えられる第１の基板ＳＵＢ１及び第２の基板ＳＵＢ２の各々の厚さが０．５〜１．１ｍｍと薄く、加圧Ｐの印加でブレークテーブルＢＫＴのクッション材ＣＳＮの局部的な沈み込みで積層母基板ＰＮが撓むことに起因する。
【００１１】
図２２は従来のスクライブ・アンド・ブレーク法による不整ブレークの一例を説明する平面図である。図２１と同様の原因でスクライブ線からはみ出た部分でブレークされると符号ＮＧ２で示したように、単位表示装置基板ＰＮＬにおける第２の基板に不整形状をもたらす。その結果、端子露出部分に充分なスペースを確保できず、不良となって歩留り低下をもたらす。
【００１２】
図２３は従来のスクライブ・アンド・ブレーク法における基板取扱い途上での典型的な傷発生例の説明図である。スクライブ・アンド・ブレーク加工の工程でスクライブテーブルやブレークテーブルに対して頻繁な反転あるいは搬送載置する際に（ａ）〜（ｃ）に示したような欠けた分離残が発生する。これらもまた不良となり、歩留り低下をもたらす。
【００１３】
また、従来はスクライブ線を加工した積層母基板を定盤（スクライブテーブルやブレークテーブル）間で搬送し、あるいは基板反転して加工をしていたため、スクライブ加工、定盤からの剥離時にスクライブ線から不所望なクラックが進行し、基板割れをもたらすことがある。図２４はスクライブ線を加工した積層母基板の基板割れ発生例と中間破材の除去困難性の説明図である。上記した積層母基板ＰＮの搬送、スクライブ加工、スクライブテーブルからの剥離等の基板取扱い時、図２４（ａ）に示したようにスクライブ線ＳＢＬ１からクラックＮＧ３が発生する。このため、液晶滴下法により積層母基板に形成された複数の表示領域の各々に液晶を予め封入した場合、積層母基板をなす２枚の基板間から液晶が漏れ出し、積層母基板ＰＮに形成された表示領域全てを不良にする。図２４では、第１の基板ＳＵＢ１の表面を示すが第２の基板ＳＵＢ２についても同様である。このようなクラックの発生は、積層母基板ＰＮが大サイズになる程著しい。
【００１４】
また、図２０（ｃ）に示した中間破材ＷＴＭをブレークし、これを除去（中貫き）する時に、図２４（ｂ）に示した第２の基板ＳＵＢ２に示した当該中間破材ＷＴＭ部分の隣接スクライブ線ＳＢＬ２が接近しているため、一方のスクライブ線をブレークする際に隣接する他方のスクライブ線にまで不所望なクラックＮＧ４が生じてしまうことがある。さらに、図２４（ｃ）のように、ブレークが正常であっても、中間破材ＷＴＭが第１の基板ＳＵＢ１と密着（鏡面接着ＡＤＭとして示す）しているために除去が困難となり、また積層母基板ＰＮが大サイズになる程、この中間破材ＷＴＭが長くなって抜け難くなる。
【００１５】
本発明の目的は、従来技術における上記した様な種々の課題を解消することにあり、積層母基板をスクライブ・アンド・ブレーク法で個々の単一表示装置基板に効率よく分離するための表示装置の製造方法及び製造装置を提供することにある。
【課題を解決するための手段】
【００１６】
上記目的を達成するために、本発明では、対向して貼り合わされた一対の基板と当該基板間に互いに離間されて形成された複数の表示領域とを含む被加工物（積層母基板）を当該表示領域毎に分断し、前記複数の表示領域の一つを夫々備える複数の表示装置（表示パネル）に切り出す表示装置の製造方法、及びこの被加工物を前記複数の表示領域の少なくとも一つ毎に分断し、また被加工物から余剰な部分を破材として切り離す表示装置の製造装置において、以下の手法（technique）を導入する。
【００１７】
手法１：前記被加工物を重力方向に起こした状態で分断する。
【００１８】
手法２：前記被加工物に含まれる前記一対の基板を、当該被加工物を反転させることなく夫々分断する。
【００１９】
手法３：前記被加工物に含まれる前記一対の基板の少なくとも一つを、当該被加工物を折り曲げて分断する。当該被加工物は、一対の基板を重ねた状態で、分断すべき基板主面を外側にして（分断すべき基板主面が仰け反るように）折り曲げられる。被加工物をこれに形成された複数の表示領域の少なくとも一つ毎（任意数毎）に分割する場合は、前記一対の基板の夫々を、分断される基板毎に異なる方向に当該被加工物を折り曲げる。
【００２０】
手法４：前記被加工物に含まれる前記一対の基板の少なくとも一つを、その主面へのスクライブ線（溝）形成とこれに続く当該スクライブ線の開裂による当該基板のブレーク（分断）とで分断する。前記一対の基板の夫々を分断する場合、一方の基板へのスクライブ線形成及びこれによる当該基板のブレークの後、他方の基板へのスクライブ線形成及びこれによる当該他方の基板のブレークが行われ、基板へのスクライブ線の形成工程が基板のブレーク工程を飛ばして繰り返されることはない。
【００２１】
以上に述べた手法は、その一つを表示装置の製造方法に採用するだけでも、従来の表示装置の製造方法に生じる上述の技術的な問題を抑止しえるが、これらを組み合わせる毎に、その効果は高められる。
【００２２】
本発明による表示装置の製造方法及び製造装置にて、その被加工物は表示装置の製造の所謂前工程を経た形状を呈する。この被加工物は、対向させて貼り合わされた一対の基板とその基板間に形成された複数の表示領域を含む。一対の基板の各々は、例えばマザーガラスと呼ばれるガラス基板を分断せずにそのまま用いることが多い。また、被加工物は、本発明による表示装置の製造方法及び製造装置により、最終的に一対の基板間に形成された複数の表示領域が一つずつ分離される。これにより、被加工物から複数の表示装置（表示パネル）が切り出される。このような事情に鑑み、上述の被加工物は、以降、積層母基板とも記す。
【００２３】
この積層母基板から複数の表示装置を切り出す過程において、積層母基板をなす一つの基板の少なくとも一方が、これに対するスクライブ工程とブレーク工程により分断され、その不要な部分は破材として除去される。スクライブ工程は、分断される基板の主面にスクライブ線という溝を罫書く工程であり、このスクライブ線が当該基板の分断位置を決める。ブレーク工程は、スクライブ線が形成された基板をこのスクライブ線の溝を当該基板の厚さ方向に開裂（cleave）して、このスクライブ線を境に当該基板を分断する工程である。本発明に係る表示装置の製造装置は、このスクライブ工程とブレーク工程とを行うスクライブ・ブレーク装置として具現化されるが、その形態は例えばスクライブ工程を行うスクライブ装置とブレーク工程を行うブレーク装置との組み合わせであってもよい。
【００２４】
表示装置の製造の前工程では、積層母基板をなす一対の基板を夫々の主面が重力方向に直交する状態で重ねて貼り合わされる。このため、積層母基板は、その主面を概ね水平にした状態でスクライブ・ブレーク装置に搬入される。上記手法１では、このような状態にある積層母基板を重力方向に起こして、これに上述のスクライブ工程とブレーク工程とを順次施す。
【００２５】
積層母基板からこれに形成された複数の表示領域を少なくとも一つ切り出す際に、積層母基板に含まれる前記一対の基板を夫々分断する工程を上記手法２では、積層母基板を反転させずに行う。従って、スクライブ工程前の積層母基板における当該一対の基板の配置は、そのブレーク工程が終わるまで互いに置き換わることなく維持される。
【００２６】
積層母基板に含まれる前記一対の基板の少なくとも一方を分断する工程において、上記手法３では、積層母基板をこれに含まれる基板の一方に形成されたスクライブ線の両側で挟み、積層母基板のスクライブ線から見て一方の側をその他方の側に対して折り曲げることにより、このスクライブ線（が形成された主面）から当該一方の基板をその厚み方向に開裂させる。
【００２７】
積層母基板に含まれる前記一対の基板の夫々を分断する工程において、上記手法４では基板毎にスクライブ工程とこれによりスクライブ線が形成された基板を開裂させるブレーク工程とを続けて行う。
【００２８】
以上に記した積層母基板のスクライブ工程及びブレーク工程は、積層母基板やこれを分割したものの周縁に存在する不要部分を破材として切り離して破棄する工程にも適用できる。また、Ｎ個（Ｎは１より大きい自然数）の表示領域が形成された積層母基板からＭ個（ＭはＮより小さい自然数）の表示領域を含む短冊状の積層母基板（サブ積層母基板）を切り離す工程にも適用できる。サブ積層母基板が複数の表示領域を含む場合、これを表示領域毎に、個々の単位表示装置基板（破材となる部分を含む）に分離する工程にも適用できる。さらに、単位表示装置基板に含まれる前記一対の基板の少なくとも一方から不要部分を破材として分離する工程にも適用できる。
【００２９】
本発明による表示装置の製造方法は、上記手法１乃至４の少なくとも一つを反映させて定義される。その代表的な一例は、以下に記す一連の工程の流れとして規定される。
【００３０】
対向させて貼り合わされた第１基板及び第２基板とこれらの間に形成された少なくとも一つの表示領域とを含む積層母基板をその主面（第１基板又は第２基板の主面でもある）が重力方向となす角度を小さくするように起こす積層母基板の起立工程、
前記第１基板の主面に第１スクライブ線を形成する第１スクライブ工程、
前記積層母基板を前記第２基板側に折り曲げて（前記第１基板の第１スクライブ線が形成された主面を仰け反らせて）、前記第１基板を前記第１スクライブ線で分断する第１ブレーク工程、
前記第２基板の主面に第２スクライブ線を形成する第２スクライブ工程、及び
前記積層母基板を前記第１基板側に折り曲げて（前記第２基板の第２スクライブ線が形成された主面を仰け反らせて）、前記第２基板を前記第２スクライブ線で分断する第２ブレーク工程をこの順に行い、
前記積層母基板の前記少なくとも一つの表示領域が形成された部分とこれに隣接する部分とを分離する。
【００３１】
このように規定された表示装置の製造方法において、積層母基板の少なくとも一つの表示領域が形成された部分に隣接する他の部分は例えば破材として廃棄される。また、第１基板と第２基板との間に複数の表示領域が形成された積層母基板においては、この一連の工程により、当該表示領域の少なくとも一つが当該表示領域の残りから分離される。第１基板と第２基板との間に形成される当該複数の表示領域は、積層母基板の主面（第１基板又は第２基板の主面）内に二次元的に互いに離間して配置される。換言すれば、この表示装置の製造方法にて加工せんとする積層母基板には、一つの表示領域と、当該表示領域以外の表示領域及び破材となる余剰領域の少なくとも一方がその主面内に二次元的に配置される。積層母基板の主面内に前記複数の表示領域の３列以上が主面内に並ぶ場合や、前記余剰領域と前記複数の表示領域とが並ぶ場合は、前記第２ブレーク工程に続き、前記第１スクライブ工程、前記第１ブレーク工程、前記第２スクライブ工程、及び前記第２ブレーク工程の一連の流れを繰り返すか、又はこの流れを部分的に変更した前記第２スクライブ工程、前記第２ブレーク工程、前記第１スクライブ工程、及び前記第１ブレーク工程からなる一連の流れを加える。
【００３２】
上述の一連の工程で分割された積層母基板の一部には、その主面内に少なくとも一つの表示領域とこれに隣接する端子領域が配置される。この積層母基板の一部は、積層母基板と同様に対向して貼り合わされた一対の基板を含む。また前記端子領域は、分割される前の積層母基板において、前記少なくとも一つの表示領域と他の表示領域又は破材となる余剰領域とを離間する領域に設けられ、当該少なくとも一つの表示領域に信号又は電力を供給する端子や配線が前記一対の基板の一方に形成された領域として設けられる。従って、この表示領域を備えた表示装置（表示パネル）を完成させるためには、端子や配線が形成された一方の基板主面に対向する（端子領域を覆う）他方の基板を除去しなければならない。即ち、対向して貼り合わされた一対の基板を含む表示装置において、その一方の基板に形成された端子領域は、その他方の基板から突き出されて当該表示装置の外部回路への結線に提供される。
【００３３】
積層母基板から切り出された表示領域とこれに対応する端子領域とを含む一部分（上述の如く表示装置に加工される部分）で、この端子領域が積層母基板に含まれる基板により覆われた状態であるものを、本明細書では「単位表示装置基板」とも呼ぶ。この単位表示装置基板から、これに含まれる一対の基板の不要部分を破材として除去して上記端子領域を露出する本発明による表示装置の製造方法の代表的な一例は、以下に記す一連の工程の流れとして規定される。
【００３４】
対向させて貼り合わされた第１基板及び第２基板、これらの間に形成された表示領域、及びこの第１基板の第２基板側主面に形成された当該表示領域に信号又は電力を送る電極を含み且つ当該表示領域に隣接する端子領域を含み且つ前記電極は前記第２基板で覆われている単位表示装置基板を用意する工程、
前記単位表示装置基板を前記表示領域及び前記端子領域で夫々挟む工程、
前記第２基板の主面を前記表示領域と前記端子領域との境界に対応する部分にスクライブ線を形成する工程、
前記単位表示装置基板を前記第１基板側に折り曲げて（前記第２基板の前記スクライブ線が形成された主面を仰け反らせて）、前記第２基板を前記スクライブ線で分断する工程、及び
前記スクライブ線で分断された前記第２基板の前記端子領域側の部分をその前記表示領域とは反対側の一辺で前記第１基板側に圧して該第２基板の端子領域側の部分を該第１基板及び前記第２基板の前記表示領域側の部分から剥離する工程（第２基板の端子領域側の部分を破材として除去する工程）により、
前記端子領域に形成された前記電極を露出させる。
【００３５】
端子領域が第１基板の隣接する２辺に沿う端部に設けられる場合、前記第２基板の前記端子領域側の部分の剥離する工程の後、単位表示装置基板をその主面（第１基板又は第２基板の主面）内に回転させた後、前記単位表示装置基板を表示領域及び端子領域で夫々挟む工程から前記第２基板の前記端子領域側の部分の剥離する工程に到る一連の工程を繰り返す。
【００３６】
また、以上に述べた積層母基板の分割及び単位表示装置基板からの破材除去の工程に代えて、以下に示す一連の工程で積層母基板から表示装置を切り出してもよい。
【００３７】
水平に搬入された積層母基板を鉛直方向に対して僅かに傾斜させて起立させる積層母基板の起立工程と、
前記積層母基板に含まれる第１基板の表面に、この積層母基板の主面内に並ぶ破材部分及び複数の単位表示装置基板部分の夫々の境界に対応させて、第１の方向及びこれに交差する第２の方向に夫々延在する複数の第１のスクライブ線を形成する第１スクライブ工程と、
前記積層母基板に含まれ且つ前記第１基板に対向する第２基板の表面に、前記複数の第１スクライブ線に夫々対向する複数の第２スクライブ線を形成する第２スクライブ工程と、
前記複数の第１スクライブ線及び前記複数の第２スクライブ線の前記破材部分に隣接する夫々に沿って前記積層母基板を分断し、前記複数の単位表示装置基板部分が形成された積層母基板から前記破材部分を分離する第１ブレーク工程と、
前記破材部分が切り離された前記積層母基板を前記第１スクライブ線と前記第２スクライブ線の前記第１方向に延在する夫々に沿って分断し、前記複数の単位表示装置基板部分の一つと前記第２方向沿いにこれに隣接する他の一つとを分離して、前記複数の単位表示装置基板部分の少なくとも一つを有し且つ前記第１方向に延在する短冊状の積層基板に分離する第２ブレーク工程と、
前記短冊状の積層基板を前記第１スクライブ線と前記第２スクライブ線の前記第２方向に延在する夫々に沿って分断し、これに形成された単位表示装置基板を切り出す第３ブレーク工程と、
前記分離された単位表示装置基板に含まれる前記第１基板及び前記第２基板の一方の主面端部にその隣接する２辺に沿う第３スクライブ線と第４スクライブ線とを夫々形成する第３スクライブ工程と、
前記第３のスクライブ線に沿って前記第１基板及び前記第２基板の前記一方を分断して、前記２辺の一方に沿うその周縁を破材として分離する第４ブレーク工程と、
前記第４のスクライブ線に沿って前記第１基板及び前記第２基板の前記一方を分断して、前記２辺の他方に沿うその周縁を破材として分離する第５ブレーク第２工程とを、
前記積層母基板、前記短冊状の積層基板、及び前記単位表示装置基板を夫々起立させた状態に保ちながら順次行う。
【００３８】
一方、以上に述べた積層母基板の分割方法に対応した本発明による表示装置（表示パネル）の製造装置は、
第１の方向及びこれに交差する第２の方向に広がる２つの主面を有する被加工物を第１の方向に搬送する搬送機構、
前記被加工物の前記２つの主面に夫々当てられる一対の治具（Jig）を含み且つこの一対の治具で被加工物を挟む第１の保持機構、
前記第１の方向沿いに前記第１の保持機構と並び且つ前記被加工物の前記２つの主面に夫々当てられる一対の治具を含み且つこの一対の治具で被加工物を挟む第２の保持機構、及び
前記第１の保持機構と前記第２の保持機構との間において前記第１の方向及び前記第２の方向に夫々交差する第３方向沿いに移動し且つ前記被加工物の前記２つの主面のいずれかにスクライブ線を形成するスクライブ機構を備え、
前記第１の保持機構及び前記第２の保持機構に夫々備えられる前記治具の各々は前記第１方向及び前記第３方向沿いに広がる平面で並進運動し、
前記第１の保持機構及び前記第２の保持機構の少なくとも一方に備えられる前記一対の治具の各々は前記第１方向及び前記第３方向沿いに広がる平面で回転運動する。
【００３９】
又、他の製造装置は、上記製造装置に加え前記第１の保持機構と前記第２の保持機構との間において前記被加工物を挟んで前記スクライブ機構と対向配置され、前記第１の方向及び前記第２の方向と夫々交差する第３の方向沿いに移動し且つ前記被加工物の一つの主面に形成されたスクライブ線を他の主面側から押圧して前記スクライブ線の開裂を進行させる押圧機構を備えている。
【００４０】
これらの製造装置において、第１の保持機構及び第２の保持機構の少なくとも一方に備えられる一対の治具の、第１方向及び第３方向沿いに広がる平面内、換言すれば、被加工物の主面に交差し且つその搬送方向に沿う平面内での回転運動により、スクライブされた被加工物（の一部）は、その場で分断（ブレーク）される。治具は第２方向に延びて被加工物の主面に接する「バー」状に形成するとよい。スクライブ機構は、第２方向沿いに動く罫書き針やスクライブ・ホイールを備え、これらを被加工物の両側に設けてもよい。
【００４１】
また、被加工物の主面の一方を保持し又はこれに吸着するステージを備えた回転機構で、被加工物を第１方向及び第２方向沿いに広がる平面（被加工物の主面に沿う平面）内で回転させてもよい。被加工物の回転は、所定の角度（例えば９０°）毎に段階的に行うとよい。
【００４２】
さらに、上述した単位表示装置基板からの破材の除去方法に対応した本発明による表示装置の製造装置では、前記第１の保持機構及び前記第２の保持機構の少なくとも一方に備えられる一対の治具の少なくとも一つに、前記第２方向に延びる複数の軸のいずれかを適宜選択させ、前記第１方向及び前記第３方向沿いに広がる平面にて夫々の軸に応じた複数種の回転運動を行わせる。これにより、ブレーク工程で生じた破材を被加工物から容易に分離することができる。
【００４３】
以上に記した本発明による表示装置の製造方法及び製造装置により、積層母基板内部に生じる基板の不要部分（中間破材、中抜き破材とも称する）を抜く工程が不要となる。積層母基板から生じる全ての破材は、被加工物（上述の積層母基板や単位表示装置基板）のスクライブ工程とこれに続くブレーク工程、又はこの一対の工程の繰り返しにより、当該被加工物の端部（周辺）にシフトする。従って、積層母基板の主面が大面積化しても、これから生ずる破材の寸法は抑えられ、表示装置に設けられる上述の端子領域に応じて破材の幅が狭められても、従来の中抜き破材のように被加工物内に残留することもなくなる。また、ブレーク工程を複数回のスクライブ工程の後に行わず、スクライブ工程毎にこれで形成されたスクライブ線で順次被加工物を開裂させることで、積層母基板から表示装置を切り出す過程における基板の破壊も抑えられる。
【００４４】
本発明によれば、積層母基板から複数の表示装置を切り出す工程において、これらの表示装置に対応する単位表示装置基板の夫々を切り出すスクライブ工程及びブレーク工程と、これに残る不要部分を破材として除去するスクライブ工程及びブレーク工程とを分ける。このため、一度に多くのスクライブ線が被加工物に形成されることは無くなり、スクライブ線に起因する被加工物のクラック発生確率も抑えられる。従って、積層母基板から表示装置を高い歩留りで製造される。
【発明の効果】
【００４５】
以上説明したように、本発明によれば、水平状態において積層母基板を表裏反転してスクライブ・アンド・ブレークするものに比較して基板のクラック発生が大幅に低減されると共に、中間破材の除去を含めた破材処理が容易であり、高品質かつ歩留りを高めた表示装置の製造方法及び製造装置を提供することができる。
【発明を実施するための最良の形態】
【００４６】
以下、本発明の実施の形態につき、実施例の図面を参照して詳細に説明する。
【００４７】
図１は本発明によるスクライブ線の加工形態の説明図である。本実施例においては、表示装置の一例として液晶表示装置に本発明による製造方法を適用する。以下に述べる積層母基板（Stacked Mother Substrates）ＰＮとは、一対の基板ＳＵＢ１，ＳＵＢ２を互いに対向させて貼り合わせて形成され、これらの基板間には、その主面内に複数の表示領域が形成される。これら複数の表示領域は、積層母基板ＰＮを以下に述べるスクライブ（Scribe）工程及びブレーク（Brake）工程を通して分割することにより、互いに分離される。これにより、積層母基板ＰＮから前記複数の表示領域の一つを夫々有する複数の表示装置（表示パネル）が得られる。
【００４８】
液晶表示装置の製造工程における積層母基板の一例において、前記複数の表示領域の各々は積層母基板をなす一対の基板間にシール剤で仕切られた複数の空間として形成される。また、電界放射型表示装置の製造工程における積層母基板の一例において、前記複数の表示領域の各々は前記一対の基板間にフリット・ガラスで仕切られ且つ夫々排気された複数の空間として形成される。このように一対の基板間に複数の表示領域を形成し且つ当該一対の基板を互いに対向させて貼り合わせる作業は、表示装置の製造における前工程にて行われる。なお、本実施例で述べる液晶表示装置の製造方法は、その前工程にて貼り合わせられる前に一対の基板の一方にシール剤で囲まれて形成された複数の表示領域（となる部分）の各々に液晶組成物を予め滴下した後、一対の基板を貼り合わせて表示領域毎に液晶組成物を当該基板間に封入する液晶滴下法（One  Drop  Fill  Method）にも適用できる。
【００４９】
図１（ａ）は、本実施例に拠る製造方法にて個々の表示装置（表示パネルＰＮＬ）に分断される積層母基板とその主面内に形成された複数の表示領域の配列の一例を図示し、図１（ｂ）は図１（ａ）に示す積層母基板ＰＮから切り出された表示装置の一つＰＮＬを示す。
【００５０】
図１（ａ）に示された積層母基板ＰＮは、前記前工程にて、マザーガラスとして用意された２枚のガラス基板ＳＵＢ１，ＳＵＢ２の一方の主面に複数の表示領域（その夫々に応じた複数の電極パターン）を形成し、且つこの主面にガラス基板の他方の主面を対向させて当該２枚のガラス基板を貼り合わせられる。積層母基板ＰＮをなす２枚のガラス基板ＳＵＢ１，ＳＵＢ２は、図１（ａ）の下端及び左端に示される積層母基板ＰＮのｘ方向及びｙ方向沿いの側面図の如く、主面の面積が互いに略等しく（加工誤差を含めて）、且つ夫々の端部を揃えて貼り合わされる。
【００５１】
図１（ａ）に示される積層母基板ＰＮの一例には、その主面内に９個の表示領域が３行×３列で形成される。これらの表示領域は、積層母基板ＰＮに施されるスクライブ工程にて積層母基板ＰＮをなす２枚の基板（ガラス基板）ＳＵＢ１，ＳＵＢ２の主面に夫々形成されるスクライブ線ＳＢＬ１，ＳＢＬ２のｘ方向に延びる一対とこのｘ方向と交差するｙ方向に延びる一対とで囲まれた夫々の領域に形成される。個々の表示パネルとして切り出される当該表示領域ＰＮＬは、以降の説明にて、単位表示装置基板（Display Device Substrates-Unit）という名称でも呼ぶ。また、ガラス基板ＳＵＢ１，ＳＵＢ２のスクライブ線ＳＢＬ１，ＳＢＬ２から端部側の領域は、破材（Wastage）として廃棄される。
【００５２】
図１（ａ）に示されたｘ−ｙ座標は、積層母基板ＰＮの主面がｘ−ｙ平面に沿うことを示す。本実施例において、ｘ−ｙ平面は重力方向に交差するように広がる。前記２枚の基板ＳＵＢ１，ＳＵＢ２を重ね合わせて積層母基板ＰＮが完成する段階（前工程の終了段階）において、積層母基板ＰＮはその主面が前記ｘ−ｙ平面に沿うように作業台上に配置され、または搬送されることが多い。本発明による表示装置の製造装置は、このような状態にある積層母基板ＰＮの主面を重力方向に起こした後、そのスクライブ工程及びブレーク工程を順次行う。本実施例にて、積層母基板ＰＮはその主面が重力方向に平行となる（前記ｘ−ｙ平面に対して鉛直方向に）ように起こされるより、この重力方向に対して若干の角度で傾斜させることが望ましい。いずれにしても、積層母基板ＰＮは、その主面の重力方向となす角度が、当該積層母基板を組み上げた時点（前工程の終了時）又は本発明による表示装置の製造装置に搬入する時点より小さくなるように起こして、その主面にスクライブを施す。従って、本実施例の表示装置の製造方法において、図１（ａ）に示される如くｘ−ｙ平面内に横たわる積層母基板ＰＮの主面には、実際上、図示されるようなスクライブ線ＳＢＬ１，ＳＢＬ２は形成されない。図１（ａ）は、これらのスクライブ線ＳＢＬ１，ＳＢＬ２を、以下に記す夫々の定義の説明にて参照させるためのみに示す。
【００５３】
積層母基板ＰＮは、上述のようにその主面を重力方向に向けて起こされた後、スクライブ・テーブルに立てかけられる。この状態で、積層母基板ＰＮのスクライブ工程が開始される。積層母基板ＰＮをなす第１の基板ＳＵＢ１の主面（第2の基板ＳＵＢ２とは反対側にある積層母基板ＰＮの主面の一方ともなる外面）には、スクライブ線ＳＢＬ１が形成される。スクライブ線ＳＢＬ１は、第１の基板ＳＵＢ１の主面に「溝」として形成される。この溝は、第2の基板ＳＵＢ２に対向する第１の基板ＳＵＢ１のもう一つの主面に向かうが、第１の基板ＳＵＢ１のもう一つの主面に到ることは稀であり、この溝（スクライブ線ＳＢＬ１）により第１の基板ＳＵＢ１が分断されることはない。積層母基板ＰＮをなす第２の基板ＳＵＢ２の主面（第１の基板ＳＵＢ１とは反対側にある積層母基板ＰＮの主面の他方ともなる外面）においても、スクライブ線ＳＢＬ２は、これにより第２の基板ＳＵＢ２を分断することのない深さの「溝」として形成される。第１の基板ＳＵＢ１の主面に形成されたスクライブ線ＳＢＬ１の「溝」は、続くブレーク工程にて第１の基板ＳＵＢ１のもう一つの主面に到り、この第１の基板ＳＵＢ１を所望の位置（スクライブ線ＳＢＬ１が形成された位置）で分断する。第２の基板ＳＵＢ２の主面に形成されたスクライブ線ＳＢＬ２の「溝」も、続くブレーク工程にて第２の基板ＳＵＢ２のもう一つの主面に到り、この第２の基板ＳＵＢ２を所望の位置（スクライブ線ＳＢＬ２が形成された位置）で分断する。積層母基板ＰＮの主面沿いに形成された複数の単位表示装置基板ＰＮＬの各々は、スクライブ線ＳＢＬ１を開裂（Cleave）させるブレーク工程で第１の基板ＳＵＢ１を分割し、且つスクライブ線ＳＢＬ２を開裂させるブレーク工程で第２の基板ＳＵＢ２を分割して初めて、隣接する他の単位表示装置基板ＰＮＬ又は破材となる部分から切り離される。
【００５４】
図１（ａ）に示された積層母基板ＰＮには、そのＸ方向（長辺）沿い及びＹ方向（短辺）沿いに夫々３個の単位表示装置基板ＰＮＬが並べて形成され、その周縁（４辺）は破材として破棄される。従って、この積層母基板ＰＮから合計９個の単位表示装置基板ＰＮＬを切り出す過程で、第１の基板ＳＵＢ１には、８本のスクライブ線ＳＢＬ１が、Ｘ方向に延びる４本とＹ方向に延びる４本とで形成される。また、第２の基板ＳＵＢ２にも、８本のスクライブ線ＳＢＬ２が、Ｘ方向に延びる４本とＹ方向に延びる４本とで形成される。しかし、本実施例では、このように図示される合計１６本のスクライブ線ＳＢＬ１，ＳＢＬ２のＸ方向又はＹ方向のいずれかに延びる８本を、第１の基板ＳＵＢ１及び第２の基板ＳＵＢ２に順次形成し且つこれらの溝をブレーク工程により開裂させて、単位表示装置基板ＰＮＬを３個ずつ含む積層母基板ＰＮに分ける。更に本実施例では、斯様に分割された積層母基板ＰＮをその主面内にて例えば９０°回転させた後、Ｙ方向又はＸ方向のいずれかに延びる残り８本のスクライブ線ＳＢＬ１，ＳＢＬ２を分割された積層母基板ＰＮに順次形成し且つこれらの溝をブレーク工程により開裂させて、３個の単位表示装置基板ＰＮＬを得る。
【００５５】
切り出された個々の単位表示装置基板ＰＮＬは、これに含まれる第１の基板ＳＵＢ１及び第２の基板ＳＵＢ２の一方がその他方から部分的に突出するように加工される。この一方の基板が他方の基板から突き出た部分には、表示装置の駆動に係る信号や電力を受ける端子が形成され、又はこれらを受けて表示装置を駆動させる集積回路素子が搭載される。このため、第１の基板ＳＵＢ１及び第２の基板ＳＵＢ２の一方の他方から突き出た部分は、これらの基板間に形成される表示領域に対して、これに対応する端子領域とも呼ばれる。本実施例では、積層母基板ＰＮの分割と分割された積層母基板からの単位表示装置基板ＰＮＬの切り出しとを第１の基板ＳＵＢ１（又は第２の基板ＳＵＢ２）の主面が重力方向に起こされた状態で行うため、単位表示装置基板ＰＮＬから第１の基板ＳＵＢ１及び第２の基板ＳＵＢ２の一方をその他方から突き出させる加工も同様な状態で行える。例えば、図１（ｂ）に示される単位表示装置基板ＰＮＬから第２の基板ＳＵＢ２の２辺に沿う周縁を切り離して、この２辺に沿う第１の基板ＳＵＢ１の周縁を突き出させる加工は、次のように行われる。まず、図１（ｂ）に示された２本のスクライブ線ＳＢＬ２’の一方を第２の基板ＳＵＢ２の主面に形成し、この溝をブレーク工程で開裂させて当該２辺に沿う第２の基板ＳＵＢ２の周縁の一方を切り離す。次に、単位表示装置基板ＰＮＬを第１の基板ＳＵＢ１（又は第２の基板ＳＵＢ２）の主面内で例えば９０°回転させ、最後に、スクライブ線ＳＢＬ２’の他方を第２の基板ＳＵＢ２の主面に形成し、この溝をブレーク工程で開裂させて当該２辺に沿う第２の基板ＳＵＢ２の周縁の残り（他方）を切り離す。
【００５６】
このようにして、積層母基板ＰＮをその主面に第１の方向に延びるスクライブ線を形成した後、この第１の方向に交差する第２の方向に延びるスクライブ線を形成することなく第１の方向に延びるスクライブ線で形成された溝を順次開裂させるブレーク工程で分割するため、多数のスクライブ線が形成されることに因る積層母基板ＰＮへの負荷が軽減される。また、積層母基板ＰＮから単位表示装置基板ＰＮＬを切り出す一連の工程を、この積層母基板ＰＮに含まれる基板主面を重力方向に起こした状態で行うことにより、基板の自重により誘発されるスクライブ線からの不測のクラック発生が抑えられる。さらに、本実施例における一連の工程が、積層母基板ＰＮを逆転させることなく（貼り合わされた２つの基板の位置を変えることなく）行えることも、クラックを抑止する一因となる。さらに、単位表示装置基板ＰＮＬに切り出された状態で第１の基板ＳＵＢ１（又は第２の基板ＳＵＢ２）の表示装置（表示パネル）として余剰な部分を切り離すことにより、これに因り生じる破材（中抜き破材…Internal Wastage）は表示装置から容易に除去される。
【００５７】
従って、図１２に示す如く、積層母基板ＰＮの両面に合計２０本のスクライブ線を形成し、その両側から夫々圧力を掛けて個々の表示装置を切り出す従来の手法に比べて、本実施例の手法では、積層母基板ＰＮに形成された複数の単位表示装置基板（表示領域）ＰＮＬの各々が表示装置として確実に切り出せる。
【００５８】
以上に述べた本実施例に拠る表示装置の製造方法を、次の実施例１における積層母基板ＰＮの分割、及び単位表示装置基板ＰＮＬからの基板の余剰部分切り離しの夫々により、図２及び図３を参照して具体的に説明する。
【実施例１】
【００５９】
図２は、積層母基板ＰＮの分割工程を、その周縁から破材を切り離す一連の流れを例に挙げて説明する図面である。図２（ａ）は、この工程に用意された装置を模式的に示し、重力方向に起こされた状態でこの装置に搬送される積層母基板ＰＮも示す。図２（ａ）に示される積層母基板ＰＮは、図２（ａ）に続く図２（ｂ）乃至図２（ｉ）の一連の工程で、その端部（図２（ａ）にて右端）から破材（周辺破材）が切り離される。
【００６０】
積層母基板ＰＮは、互いに重ね合わされた第１の基板ＳＵＢ１と第２の基板ＳＵＢ２とを含み、その間には複数の表示領域ＡＲ１，ＡＲ２が形成される。夫々の表示領域は、液晶組成物が封入される空間又はこの空間に液晶滴下法により供給された液晶組成物を封止してなる。また、表示領域ＡＲ１，ＡＲ２の夫々の周囲には、これを囲むようにシール材の壁が形成され、これにより第１の基板ＳＵＢ１と第２の基板ＳＵＢ１とは互いに貼り合わされる。従って、図２（ａ）に示される積層母基板ＰＮは、図１（ａ）に示されるそれの側面図のいずれかと同じ視点で描かれる。但し、図２（ａ）に示される積層母基板ＰＮは重力方向に起こされているため、その主面（第１の基板ＳＵＢ１や第２の基板ＳＵＢ２の主面）は図示された座標軸のｘ−ｚ平面に沿う。大文字のＸ，Ｙで記される図１（ａ）の座標軸に対して、図２（ａ）の座標軸を小文字のｘ，ｙ，ｚで記した理由は、このｚ軸が重力方向より僅かに傾いているためである。本実施例において、ｚ軸は重力方向に対して５〜１０°の範囲のいずれかの角度で傾いているが、図２（ａ）に示される装置の性能に応じて、この範囲外の角度でｚ軸を傾けてもよい。
【００６１】
図２（ａ）に示される装置は、積層母基板ＰＮの搬送及び保持を担う定盤ＦＢＳ１，ＦＢＳ２、積層母基板ＰＮの位置を監視するカメラＴＶＣ、積層母基板ＰＮをその両側から挟み込む第１の保持部材ＨＢ１，ＨＢ２、積層母基板ＰＮの夫々の主面にスクライブ線を形成するスクライブ・ホイールＳＷＨ１，ＳＷＨ２、及びスクライブ・ホイールＳＷＨ１，ＳＷＨ２の反対側で積層母基板ＰＮをその両側から挟み込む第２の保持部材ＢＢ１，ＢＢ２を備える。積層母基板ＰＮの第１の基板ＳＵＢ１に対向する定盤ＦＢＳ１，ＦＢＳ２の面は、重力方向に対して上記ｚ軸と同様な角度で傾き、この面から吹き出される圧縮空気（Air  Blow）でこの面に伸し掛かる第１の基板ＳＵＢ１の主面をこの面から僅かに浮き上がらせる。積層母基板ＰＮの下側には、これを太い矢印方向に搬送するベルトコンベヤが配置されるが、図２（ａ）では割愛されている（ベルトコンベアは実施例３にて説明される）。積層母基板ＰＮは定盤ＦＢＳ１，ＦＢＳ２の夫々の面から僅かに浮いているため、ｘ方向に搬送される積層母基板ＰＮには唯一ベルトコンベアが接触する。なお、ベルトコンベアは積層母基板ＰＮのスクライブ工程及びブレーク工程を担う第１の保持部材ＨＢ１，ＨＢ２、スクライブ・ホイールＳＷＨ１，ＳＷＨ２、及び第２の保持部材ＢＢ１，ＢＢ２が配置される定盤ＦＢＳ１及び定盤ＦＢＳ２の間で断続される。
【００６２】
一方、図２（ａ）に示される矩形の第１の保持部材ＨＢ１，ＨＢ２、及び第２の保持部材ＢＢ１，ＢＢ２の各々は、その第１の基板ＳＵＢ１又は第２の基板ＳＵＢ２に対向する一辺がｚ方向に延びて第１の基板ＳＵＢ１又は第２の基板ＳＵＢ２の主面に接する面をなす。従って、これらの保持部材はｘ−ｚ平面沿いに長く延びた「バー」状に形成され、夫々の機能的な特徴に即し、第１の保持部材ＨＢ１，ＨＢ２を押えバー（Holding  Bar）、第２の保持部材ＢＢ１，ＢＢ２を折り曲げバー（Bending  Bar）又はブレークバー（Break  Bar）とも呼ぶ。また、第１の保持部材ＨＢ１，ＨＢ２と第２の保持部材ＢＢ１，ＢＢ２との間に配置されたスクライブ・ホイールＳＷＨ１，ＳＷＨ２には、その円周にブレード（Blade）が形成された既知のものを用いる。第１の保持部材ＨＢ１，スクライブ・ホイールＳＷＨ１，並びに第２の保持部材ＢＢ１、及び第１の保持部材ＨＢ２，スクライブ・ホイールＳＷＨ２，並びに第２の保持部材ＢＢ２の夫々の群において、第１の保持部材，スクライブ・ホイール，並びに第２の保持部材は、そのｘ軸に沿う配置関係を維持しながら自由自在に動くように組み立てられている。本実施例では、図２（ａ）に示された上述の装置をその機能に鑑み、以降、スクライブ・ブレーク装置と呼ぶ。
【００６３】
図２（ａ）に示す如く、スクライブ・ブレーク装置に搬入された積層母基板ＰＮには、図２（ｂ）乃至図２（ｉ）に示されるように、その第１の基板ＳＵＢ１に対するスクライブ工程並びにブレーク工程、及びその第２の基板ＳＵＢ２に対するスクライブ工程並びにブレーク工程が順次施される。
【００６４】
まず、図２（ｂ）に示す工程では、積層母基板ＰＮの切断すべき部分がスクライブ・ブレーク装置の作業領域（Working  Area）に挿入されたことをカメラＴＶＣにて検知するや、上述のベルトコンベアを止めて積層母基板ＰＮの搬送を中断する。次に、第１の保持部材（押えバー）ＨＢ１及び第２の保持部材（折り曲げバー）ＢＢ１を第１の基板ＳＵＢ１の主面（外側主面）に、第１の保持部材ＨＢ２及び第２の保持部材ＢＢ２を第２の基板ＳＵＢ２の主面（外側主面）に、夫々押し当てて積層母基板ＰＮの被加工部分の位置をスクライブ・ホイールに対して固定する。この工程では、スクライブ・ホイールＳＷＨ１をｙ軸沿いに第１の基板ＳＵＢ１の主面に近づける。スクライブ・ホイールＳＷＨ１は、第１の基板ＳＵＢ１の主面に当てられてｚ軸方向に移動し始めると、その円周に形成されたブレードが第１の基板ＳＵＢ１の主面を罫書きながら回転する。このような状態でスクライブ・ホイールＳＷＨ１の回転軸をｚ軸方向に移動させると、第１の基板ＳＵＢ１にはｚ軸方向に延在するスクライブ線（溝）が形成される。なお、図２（ｂ）に破線で示される第１の保持部材，スクライブ・ホイール，並びに第２の保持部材は、その直前の工程（図２（ｂ）に対しては図２（ａ））における夫々の位置を示す。
【００６５】
図２（ｂ）の工程の完了により、第１の基板ＳＵＢ１の主面にｚ軸方向に沿うスクライブ線ＳＢＬ１が形成されると、図２（ｃ）の工程が始まる。この工程では、スクライブ・ホイールＳＷＨ１を第１の基板ＳＵＢ１の主面から離した後、ｘ軸に沿い第１の保持部材ＨＢ１及び第２の保持部材ＢＢ１をスクライブ線ＳＢＬ１に向けて寄せる。第１の保持部材ＨＢ１及び第２の保持部材ＢＢ１のいずれも第１の基板ＳＵＢ１の主面を擦らないように、一旦第１の基板ＳＵＢ１から離してｘ軸沿いに動かした後、再び第１の基板ＳＵＢ１の主面に押し当てられる。第２の基板ＳＵＢ２側の第１の保持部材ＨＢ２及び第２の保持部材ＢＢ２も同様にスクライブ線ＳＢＬ１に向けて寄せられる。
【００６６】
図２（ｄ）に示す工程では、積層母基板ＰＮを挟む第２の保持部材ＢＢ１，ＢＢ２をｘ−ｙ平面内で回転させて、積層母基板ＰＮをその第２の基板ＳＵＢ２側主面のスクライブ線ＳＢＬ１を挟むＡ側（Side  A）とB側（Side  B）とが１８０°未満の角度θ１を示すように反らす。このとき、第１の保持部材ＨＢ，ＨＢ２は図示される如く殆ど動かない。従って、積層母基板ＰＮはそのスクライブ線ＳＢＬ１が形成される主面の反対側に折り曲げられ、スクライブ線ＳＢＬ１が形成された（第１の基板ＳＵＢ１側の）主面は、スクライブ線ＳＢＬ１の中心（一点鎖線ＣＳＬ１で示す）の両側で180°超の角度をなす。このように第１の基板ＳＵＢ１の主面が、そのスクライブ線ＳＢＬ１の形成された部分でのけぞると、第１の基板ＳＵＢ１にスクライブ線ＳＢＬ１として形成された溝は第１の基板ＳＵＢ１の厚さ方向に開裂してブレーク部分ＢＲＬ１を形成する。このブレーク部分ＢＲＬ1は、スクライブ線ＳＢＬ１の軌跡を辿って第１の基板ＳＵＢ１をｚ軸方向に分断するため、ブレーク線とも呼べる。
【００６７】
図２（ｂ）乃至図２（ｄ）に亘る一連の工程で第1の基板ＳＵＢ１のスクライブ工程及びブレーク工程が完了すると、第１の保持部材ＨＢ，ＨＢ２及び第２の保持部材ＢＢ１，ＢＢ２は図２（ｅ）に示す如く積層母基板ＰＮから離されて、スクライブ・ホイールＳＷＨ１，ＳＷＨ２とともに図２（ａ）で示される位置に一旦戻る。
【００６８】
次に、図２（ｆ）に示す工程で第２の基板ＳＵＢ２のスクライブが開始される。第２の基板ＳＵＢ２を第１の基板ＳＵＢ１と同じ位置で切断する場合は、上述の図２（ｂ）乃至図２（ｄ）に亘る一連の工程を、図２（ｂ）の工程におけるスクライブ・ホイールＳＷＨ１の動作をスクライブ・ホイールＳＷＨ２のそれに置き換え、図２（ｄ）に示す工程で第２の基板ＳＵＢ２の主面を、そのスクライブ線の形成された部分で仰け反らせて繰り返せばよい。しかし、ここでは、第２の基板ＳＵＢ２を第１の基板ＳＵＢ１とは異なる位置で切断して、第２の基板ＳＵＢ２の端部を第１の基板ＳＵＢ１から突き出させる一連の工程について述べる。
【００６９】
図２（ｆ）に示す工程では、図２（ｂ）に示す工程と同様に第１の保持部材ＨＢ１及び第２の保持部材ＢＢ１を第１の基板ＳＵＢ１の主面に、第１の保持部材ＨＢ２及び第２の保持部材ＢＢ２を第２の基板ＳＵＢ２の主面に、夫々押し当てて積層母基板ＰＮの被加工部分の位置をスクライブ・ホイールＳＷＨ２に対して固定する。被加工部分は、図２（ｂ）に示す工程で述べた位置よりｘ軸方向にシフトするため、積層母基板ＰＮの第１の保持部材ＨＢ，ＨＢ２により挟まれる部分及び第２の保持部材ＢＢ１，ＢＢ２により挟まれる部分はともに図２（ｂ）に示されるそれらよりｘ軸方向にシフトされる。続いて、スクライブ・ホイールＳＷＨ２を回転させながらｙ軸沿いに第２の基板ＳＵＢ２の主面に近づけ、スクライブ・ホイールＳＷＨ２が第２の基板ＳＵＢ２の主面を罫書き始めたら、その回転軸をｚ軸方向に移動させる。
【００７０】
図２（ｆ）の工程の完了により、第２の基板ＳＵＢ２の主面にｚ軸方向に沿うスクライブ線ＳＢＬ２が形成されると、図２（ｇ）に示す工程が始まる。この工程では、スクライブ・ホイールＳＷＨ２を第２の基板ＳＵＢ２の主面から離した後、ｘ軸に沿い第１の保持部材ＨＢ２及び第２の保持部材ＢＢ２をスクライブ線ＳＢＬ２に向けて寄せる。また、第１の基板ＳＵＢ１の主面に押し当てられている第１の保持部材ＨＢ１及び第２の保持部材ＢＢ１も同様にスクライブ線ＳＢＬ２に向けて寄せられる。図２（ｃ）の工程と同様に、第１の保持部材ＨＢ２及び第２の保持部材ＢＢ２は第２の基板ＳＵＢ２の主面を擦らないように、第１の保持部材ＨＢ１及び第２の保持部材ＢＢ１は第１の基板ＳＵＢ１の主面を擦らないように、夫々積層母基板ＰＮから一旦離されてｘ軸方向沿いに移動する。
【００７１】
しかし、図２（ｇ）に示す工程では、既に第１の基板ＳＵＢ１に形成されたブレーク部分ＢＲＬ１が、これから始まる第２の基板ＳＵＢ２のブレーク工程にて第２の基板ＳＵＢ２に不測の傷やクラックを起こす可能性が配慮される。本実施例では、図２（ｇ）に示す工程において、第１の保持部材ＨＢ１をこれが第１の基板ＳＵＢ１のブレーク部分ＢＲＬ１を覆う位置に押し当てる。また、第１の保持部材ＨＢ２を第１の保持部材ＨＢ１に対向させて第２の基板ＳＵＢ２の主面に押し当て、第１の基板ＳＵＢ１のブレーク部分ＢＲＬ１が形成された部分の強度を第２の基板ＳＵＢ２側から補う。
【００７２】
続いて図２（ｈ）に示す工程により、積層母基板ＰＮを挟む第２の保持部材ＢＢ１，ＢＢ２をｘ−ｙ平面内で回転させて、積層母基板ＰＮをその第１の基板ＳＵＢ１側主面のスクライブ線ＳＢＬ１を挟むＡ’側（Side  Ａ’）とＢ’側（Side  Ｂ’）とが１８０°未満の角度θ２を示すように反らす。この工程においても、図２（ｄ）に示す工程と同様に、第１の保持部材ＨＢ１，ＨＢ２は図示される如く殆ど動かない。従って、第２の基板ＳＵＢ２の主面は、スクライブ線ＳＢＬ２の中心（一点鎖線ＣＳＬ２で示す）の両側で180°超の角度をなす。このように第２の基板ＳＵＢ１の主面が、そのスクライブ線ＳＢＬ２の形成された部分で仰け反ると、第２の基板ＳＵＢ２にスクライブ線ＳＢＬ２として形成された溝は第２の基板ＳＵＢ２の厚さ方向に開裂してブレーク部分ＢＲＬ２を形成する。このブレーク部分ＢＲＬ２も、スクライブ線ＳＢＬ２の軌跡を辿って第２の基板ＳＵＢ２をｚ軸方向に分断する。
【００７３】
一方、第２の基板ＳＵＢ２を第１の基板ＳＵＢ１側に向けて折り曲げる図２（ｈ）の工程では、ブレーク部分ＢＲＬ１で分断された第１の基板ＳＵＢ１の端部（Ｂ側…図２（ｅ）参照）が第２の基板ＳＵＢ２に圧され、そのＡ側に対向する端辺がこれに対向する第２の基板ＳＵＢ２の主面（内側主面）を擦ることが予想される。しかし、本実施例では、図２（ｇ）に示すように第１の基板ＳＵＢ１主面（外側主面）のブレーク部分ＢＲＬ１及びその周辺に第１の保持部材の一方ＨＢ１を、第２の基板ＳＵＢ２主面（外側主面）のブレーク部分ＢＲＬ１に対向する（ブレーク部分ＢＲＬ１が投影される）領域及びその周辺に第１の保持部材の他方ＨＢ２を夫々押し当てることで、第２の基板ＳＵＢ２の折り曲げに伴う第１の基板ＳＵＢ１端部（Ｂ側）の動きが抑えられる。従って、積層母基板ＰＮの前工程で第２の基板ＳＵＢ２主面（図２（ｈ）では内側主面）に形成された導体膜（電極や端子）又はこれを保護する絶縁膜が、当該第１の基板ＳＵＢ１の端部で削られて損傷を受ける可能性は抑えられる。
【００７４】
図２（ｈ）の工程が終了した後、図２（ｉ）に示す工程で第１の保持部材ＨＢ，ＨＢ２及び第２の保持部材ＢＢ１，ＢＢ２を積層母基板ＰＮから離すと、この積層母基板ＰＮの端部（図２（ａ）にて右端）から破材となる第１の基板ＳＵＢ１及び第２の基板ＳＵＢ２の端部が自ずと離れる。従って、第１の基板ＳＵＢ１及び第２の基板ＳＵＢ２から発生した破材は、スクライブ・ブレーク装置からスムーズに排出される。一方、図２（ａ）乃至図２（ｉ）に示す一連の工程で、Ｎ個の単位表示装置基板ＰＮＬが形成された積層母基板ＰＮからＭ個（Ｍは自然数且つ、Ｎ＞Ｍ＞１）の単位表示装置基板ＰＮＬを含む言わばサブの積層母基板を分離する場合、この分離されたサブの積層母基板は図２（ｈ）の右側に示される。図２（ｈ）に示す積層母基板の破材に比べて、分離されたサブの積層母基板はｘ軸方向に沿い図２（ｈ）の右端に延びるため、図２（ｉ）の工程で積層母基板本体から切り離されると、定盤ＦＢＳ２沿いに設けられたベルトコンベアでｘ軸方向に搬送される。
【００７５】
図２（ｉ）に示される積層母基板ＰＮは、その一部分（端部）が破材又はサブの積層母基板として切り離された後の形状を有する。この積層母基板ＰＮは、その第１の基板ＳＵＢ１及び第２の基板ＳＵＢ２の次に切断すべき部分がスクライブ・ブレーク装置の作業領域に入るよう、ｘ軸に沿い矢印が示す如くシフトし、所望の位置で再び停止する。図２（ｉ）に示される積層母基板ＰＮの第１の基板ＳＵＢ１及び第２の基板ＳＵＢ２に切断すべき部分が最早存在しないときは、定盤ＦＢＳ１沿いに設けられたベルトコンベアから定盤ＦＢＳ２沿いに設けられたベルトコンベアに矢印方向沿いに受け渡される。
【００７６】
図２（ａ）乃至図２（ｉ）の工程は、これらが示す如く、積層母基板ＰＮ（その第１の基板ＳＵＢ１や第２の基板ＳＵＢ２）の主面がｘ−ｚ平面に沿う状態を維持して行われる。換言すれば、積層母基板ＰＮはこれから切り離されるこの端部をも含めて重力方向に起こされた状態を保つ。これにより、基板の自重による積層母基板ＰＮの撓みを抑え、スクライブ線等から生じる不測の基板クラックを抑える。
【００７７】
また、図２（ａ）の工程でスクライブ・ブレーク装置の作業領域に挿入された積層母基板ＰＮは、第１の基板ＳＵＢ１及び第２の基板ＳＵＢ２の夫々に施されるスクライブ工程及びブレーク工程が終了する（図２（ｉ）の工程）まで、搬送されない。従って、スクライブ・ブレーク装置における第１の基板ＳＵＢ１及び第２の基板ＳＵＢ２の位置は、図２（ｄ）及び図２（ｈ）の折り曲げられる夫々の端部の僅かな動きを除き、図２（ａ）の工程から図２（ｉ）の工程に到る期間内で変わらない。このため、第１の基板ＳＵＢ１は、これにスクライブ線ＳＢＬ１が形成されてからこのスクライブ線ＳＢＬ１沿いに分断されるまで、同じ位置に留まる。また、第２の基板ＳＵＢ２も、これにスクライブ線ＳＢＬ２が形成されてからこのスクライブ線ＳＢＬ２沿いに分断されるまで、同じ位置に留まる。  
【００７８】
これにより、スクライブ線が形成された積層母基板ＰＮの搬送による破損が回避される。
【００７９】
さらに、図２（ａ）の工程から図２（ｉ）の工程に到る期間で、積層母基板ＰＮを反転させることなく、第１の基板ＳＵＢ１及び第２の基板ＳＵＢ２の夫々にスクライブ工程及びブレーク工程が施される。換言すれば、積層母基板ＰＮがスクライブ・ブレーク装置に搬送された時点でその第１の基板ＳＵＢ１が定盤ＦＢＳ１と向かい合う関係は、第１の基板ＳＵＢ１及び第２の基板ＳＵＢ２に施されるスクライブ工程及びブレーク工程が終了するまで維持され、その途中で第２の基板ＳＵＢ２が第１の基板ＳＵＢ１に代わって定盤ＦＢＳ１と向かい合うことはない。これにより、積層母基板ＰＮを反転する過程で生じる重力による基板主面の撓みを防ぎ、その一部に集中する応力を緩和する。
【００８０】
以上のように、積層母基板ＰＮのスクライブ工程及びブレーク工程を、積層母基板ＰＮの位置を変えずに（所謂シフト・フリー：Shift−freeで）且つ積層母基板ＰＮを反転させずに（所謂反転レス：Inversion−lessで）行える理由は、スクライブ線が形成された積層母基板ＰＮを折り曲げるブレーク工程にある。この積層母基板ＰＮを折り曲げるブレーク工程は、スクライブ工程毎（スクライブ線毎）に順次行うとなおよい。
【００８１】
本実施例では、積層母基板ＰＮをシフト・フリー且つ反転レスでサブの積層母基板又は単位表示装置基板ＰＮＬへ分割するにあたり、積層母基板ＰＮをその分割される位置の両側で挟む前記第１の保持部材及び前記第２の保持部材の動きが重要な役割を果たす。図２（ａ）乃至図２（ｉ）に示された第１の保持部材（押さえバー）ＨＢ１，ＨＢ２及び第２の保持部材（折り曲げバー）ＢＢ１，ＢＢ２の夫々の動きから明らかなように、これらの第１の保持部材、第２の保持部材は、積層母基板ＰＮに含まれる第１の基板ＳＵＢ１や第２の基板ＳＵＢ２のスクライブ工程及びブレーク工程に応じて、積層母基板ＰＮ（これに含まれる第１の基板ＳＵＢ１や第２の基板ＳＵＢ２）の主面（図２（ａ）にてｘ−ｚ平面）に交差する平面（図２（ａ）にてｘ−ｙ平面）内を移動し又この平面の法線を中心として回転する。これら第１の保持部材及び第２の保持部材が動き回る平面は、積層母基板ＰＮの搬送方向（ｘ軸）沿いに広がり、望ましくは当該搬送方向に平行に広がる。この平面は、積層母基板ＰＮの主面と直交することが望ましい。
【００８２】
本実施例のスクライブ・ブレーク装置では、その被加工物（積層母基板ＰＮ）の搬入側に配置された第１の保持部材ＨＢ１，ＨＢ２の上記平面（ｘ−ｙ平面）内における並進運動（Translational  Motion）と、当該被加工物の搬出側に配置された第２の保持部材ＢＢ１，ＢＢ２の当該平面（ｘ−ｙ平面）内における並進運動及び回転運動（Rotational  Motion）とにより、積層母基板ＰＮを折り曲げて夫々の基板ＳＵＢ１，ＳＵＢ２をブレーク（分断）し、更に第１の保持部材ＨＢ１，ＨＢ２と第２の保持部材ＢＢ１，ＢＢ２との間に配置されたスクライブ・ホイールＳＷＨ１，ＳＷＨ２でスクライブ工程毎にスクライブされた基板をブレークする。なお、上述した保持部材の並進運動とは、この保持部材の言わば直線的な移動を指し、図２（ａ）に示す矩形の保持部材をその四隅が互いに平行な軌跡を描くように移動させる運動として例示される。また、上述した保持部材の回転運動は、図２（ｄ）及び図２（ｈ）に示される第２の保持部材ＢＢ１，ＢＢ２の、基板ＳＵＢ１，ＳＵＢ２に接する夫々の一端（左側）に対して、その夫々の他端（右側）をｙ軸方向に傾ける動き（第２の保持部材の当該一端を中心とする回転）として例示される。
【００８３】
上述の如き積層母基板ＰＮの折り曲げによるブレーク工程は、上記スクライブ・ブレーク装置における、第１の保持部材ＨＢ１，ＨＢ２の上記平面（ｘ−ｙ平面）内での並進運動及び回転運動と、第２の保持部材ＢＢ１，ＢＢ２の当該平面（ｘ−ｙ平面）内での並進運動とによっても行える。また、第１の保持部材ＨＢ１，ＨＢ２及び第２の保持部材ＢＢ１，ＢＢ２に当該平面（ｘ−ｙ平面）内における並進運動と回転運動とを与えてもよい。
【００８４】
スクライブ・ブレーク装置における被加工物の搬送方向沿いに、当該被加工物を挟む第１の保持部材と第２の保持部材とを並設し、これらの第１保持部材及び第２保持部材の当該被加工物の主面（被加工面）に交差し且つ被加工物の搬送方向に沿う平面での並進運動と回転運動とにより当該被加工物のブレーク工程を行う手法は、被加工物をその主面が重力方向に直交するように（水平に）搬送するスクライブ・ブレーク装置においても適用でき、被加工物を撓ませることなくブレークする効果を奏する。この場合、図２（ａ）に示された定盤ＦＢＳ１，ＦＢＳ２を、夫々の積層母基板ＰＮ（被加工物）に対向する面が重力方向に直交するように配置し、その面から吹き出す圧縮空気で被加工物を浮上させるとよい。また、第１保持部材と第２保持部材との間にスクライブ・ホイールを配置してもよい。従って、本実施例で述べたスクライブ・ブレーク装置は、要素技術として被加工物（積層母基板ＰＮ）を重力方向に起こさない他の製造装置に適用され得る。
【００８５】
以上、図２（ａ）乃至図２（ｉ）を参照して述べた積層母基板ＰＮのスクライブ工程及びブレーク工程により、図１（ａ）に示す積層母基板ＰＮは、その第１の基板ＳＵＢ１及び第２の基板ＳＵＢ２に８本ずつ示されるスクライブ線ＳＢＬ１，ＳＢＬ２のＸ方向又はＹ方向のいずれかに延びる一群（４本のスクライブ線ＳＢＬ１と４本のスクライブ線ＳＢＬ２）に応じて単位表示装置基板ＰＮＬを３個ずつ含むサブの積層母基板と破材とに分離される。また、サブの積層母基板から単位表示装置基板ＰＮＬを切り出す工程にも、図２（ａ）乃至図２（ｉ）を参照して述べたスクライブ工程及びブレーク工程が適用できる。
【００８６】
このようにして得られた単位表示装置基板ＰＮＬから、これに含まれる一対の基板の一方の周縁を切り離し、当該一対の基板の他方を当該一方の基板から突き出させる一連の工程について、図３（ａ）乃至図３（ｅ）を参照して説明する。
【００８７】
図３（ａ）は、この一連の工程に用いられるスクライブ・ブレーク装置の一例の概要を、単位表示装置基板ＰＮＬをなす一対の基板の一方（第１の基板ＳＵＢ１）にスクライブ線を形成する状態で示す。従って、図３（ａ）に実線で示される第１の保持部材（押さえバー）ＨＢ１，ＨＢ２及び第２の保持部材（折り曲げバー）ＢＢ１，ＢＢ２は、スクライブ・ホイールＳＷＨ１による第１の基板ＳＵＢ１主面へのスクライブ線形成に備えて、図２（ｂ）に示されるそれらと同様に、第１の基板ＳＵＢ１及び第２の基板ＳＵＢ２の主面に夫々押し当てられる。
【００８８】
図３（ａ）に示されるスクライブ・ブレーク装置に備えられる第１の保持部材ＨＢ１，ＨＢ２、スクライブ・ホイールＳＷＨ１，ＳＷＨ２、第２の保持部材ＢＢ１，ＢＢ２、定盤ＦＢＳ１、及びカメラＴＶＣの構造及び機能の夫々は、同じ参照符号で図２（ｂ）に示される構成要素の夫々と共通する。また、図３（ａ）に示されないベルトコンベアが定盤ＦＢＳ１沿いに設けられ、カメラＴＶＣから得られる被加工物（単位表示装置基板ＰＮＬ）の位置情報に基づき、これをｘ軸方向沿いに搬送する。さらに、図３（ａ）のスクライブ・ブレーク装置には、被加工物（単位表示装置基板ＰＮＬ）の一方の主面に接するステージＳＴＧを備えた基板回転機ＲＯＴが設けられる。この基板回転機ＲＯＴは、ステージＳＴＧにエアチャック機能を持たせ、これを被加工物の主面に吸着させて、被加工物をその主面（図３（ａ）に示される座標で規定されるｘ−ｚ平面）内で回転させる。この機能は、図１（ｂ）に示す単位表示装置基板ＰＮＬの基板ＳＵＢ２の周縁を、その隣接する２辺沿いに描かれたスクライブ線ＳＢＬ２’の夫々で切り離す加工に役立つ。
【００８９】
図３（ａ）に示される工程で第１の基板ＳＵＢ１主面にスクライブ線を形成する動作は、上述した図２（ｂ）の工程と同様に行われる。図３（ａ）の工程に続く図３（ｂ）に示される工程での第１の保持部材ＨＢ１，ＨＢ２及び第２の保持部材ＢＢ１，ＢＢ２をスクライブ線ＳＢＬ１に寄せて被加工物（単位表示装置基板ＰＮＬ）を保持する動作は、上述した図２（ｃ）の工程と同様に行われる。さらに、図３（ｃ）に示す、第２の保持部材の一方ＢＢ１をその第１の基板ＳＵＢ１に接する一端（左端）を中心として、第２の保持部材の他方ＢＢ２をその第２の基板ＳＵＢ２に接する一端（左端）を中心として、夫々時計回りに回転させて、被加工物（単位表示装置基板ＰＮＬ）を第２の基板ＳＵＢ２側に折り曲げ、第１の基板ＳＵＢ１にスクライブ線ＳＢＬ１として形成された溝をその中心ＣＳＬにて開裂させて第１の基板ＳＵＢ１をブレークする工程は、上述した図２（ｄ）の工程と同様に行われる。
【００９０】
図３（ａ）のスクライブ・ブレーク装置に特有な動作は、図３（ｃ）の工程に続く図３（ｄ）及び図３（ｅ）に示される工程に現れる。図３（ｃ）の工程で、時計回りに（π−θ１）だけ回転した第２の保持部材ＢＢ１，ＢＢ２のうち、第１の基板ＳＵＢ１に接する一方ＢＢ１は、図３（ｄ）に示される如く、その第１の基板ＳＵＢ１に対向する面の他端（右端）を中心に時計回りに回転する。これに対して、第２の基板ＳＵＢ２に接する他方の第２の保持部材ＢＢ２は、その第２の基板ＳＵＢ２に接する一端（第２の基板ＳＵＢ２に対向する面の左端）を中心に反時計回りに回転し、図３（ｂ）に示された位置に戻る。従って、図３（ｃ）の工程でｙ軸方向に撓った第２の基板ＳＵＢ２は、そのＡ側とＢ側との間に生じた角度θ１をπ（180°）に戻すように第２の保持部材ＢＢ２で圧される。
【００９１】
一方、図３（ｄ）に示された第１の基板ＳＵＢ１のＢ側は、図３（ｃ）のブレーク工程により、そのＡ側から分離されて破材ＷＴ１に変わる。積層母基板ＰＮを作製する前工程において、第１の基板ＳＵＢ１と第２の基板ＳＵＢ２とを貼り合わせるシール剤やフリットグラスのような接着性の材料は、第１の基板ＳＵＢ１主面にその破材ＷＴとなる領域を避けるように供給されるが、実際には破材ＷＴとなる領域にも接着性の材料がはみ出ることがある。また、スクライブ工程により第１の基板ＳＵＢ１に生じた静電気が、被加工物からの破材ＷＴ１の剥離を妨げることもある。本実施例では、図３（ｄ）に示される如く、第１の基板ＳＵＢ１（破材ＷＴ１となるＢ側）に接する第２の保持部材ＢＢ１を第２の基板ＳＵＢ２の主面に対して傾斜するように回転させ、且つ第２の保持部材ＢＢ２で第２の基板ＳＵＢ２（破材ＷＴ１に接するＢ側）を第１の基板ＳＵＢ１に向けて圧すことにより、第１の基板ＳＵＢ１（Ａ側）から切り離されながら被加工物（単位表示装置基板ＰＮＬ）から離れにくい破材ＷＴ１をその被加工物との接触面から浮き上がらせる。重力方向に起こされている被加工物では、第２の保持部材ＢＢ１の回転により破材ＷＴ１が第１の基板ＳＵＢ１（Ａ側）及び第２の基板ＳＵＢ２との接触面から浮くや否や、重力方向に落下する。従って、図１３を参照して述べた従来技術における中間破材（Internal  Wastage）ＷＴＭの問題も確実に解決される。
【００９２】
図３（ｄ）に示された破材ＷＴ１の除去工程が終了すると、第１の保持部材ＨＢ１，ＨＢ２及び第２の保持部材ＢＢ１，ＢＢ２は、図３（ｅ）に示す如く、夫々の待機位置（図３（ａ）では破線で表示）に戻る。被加工物（単位表示装置基板ＰＮＬ）の別の辺から破材を切り出す必要性が残る場合、その主面（第２の基板ＳＵＢ２主面）に基板回転機ＲＯＴのステージＳＴＧを当てて、被加工物をその主面（ｘ−ｚ平面）内で回転させる。
【００９３】
図３（ａ）に示すスクライブ・ブレーク装置は、図２（ａ）に示すそれに比べて、第２の保持部材ＢＢ１の被加工物の主面に交差し且つ被加工物の搬送方向に沿う平面における回転運動の中心が変えられるという特徴を有する。このスクライブ・ブレーク装置は、積層母基板ＰＮの分割、及び（分割された）積層母基板からの単位表示装置基板ＰＮＬの分離にも利用できる。
【実施例２】
【００９４】
実施例１では、積層母基板ＰＮのスクライブ工程とブレーク工程とを、積層母基板ＰＮをシフト・フリー且つ反転レスで行い、且つ積層母基板ＰＮを折り曲げてブレークする本発明による表示装置の製造方法について、具体的に述べた。
【００９５】
実施例２では、スクライブ工程とブレーク工程との間にて積層母基板ＰＮをシフトする表示装置の製造方法について図４及び図５を参照して述べる。この実施例でも、実施例１と同様に積層母基板ＰＮ及びこれを分割して得られる単位表示装置基板ＰＮＬは、重力方向に対して起こされた状態で搬送され且つ加工される。また、被加工物（基板）主面のスクライブ線（溝）が形成された部分の両側をバー状の保持部材で挟み、その一方を基板主面に交差する面内での回転運動により被加工物を折り曲げるブレーク工程も、概ね実施例１で述べたそれに共通する。
【００９６】
図４は、実施例２における積層母基板から個々の単位表示装置基板を分離する工程の説明図である。ここでは、説明を簡単にするため、４枚（２×２）の単位表示装置基板を有する積層母基板で説明する。先ず、（ａ）短辺スクライブポジションで第１の基板ＳＵＢ１と第２の基板ＳＵＢ２の両面の短辺側にスクライブ線ＳＢＬ１１とＳＢＬ２１を同時加工する。短辺方向の全スクライブ線の加工後、（ｂ）積層母基板ＰＮを面内で９０°回転させて長辺スクライブポジションに搬送し、（ｃ）第１の基板ＳＵＢ１と第２の基板ＳＵＢ２の両面の長辺側にスクライブ線ＳＢＬ１２とＳＢＬ２２を同時加工する。
【００９７】
長辺側にスクライブ線ＳＢＬ１２とＳＢＬ２２を同時加工した積層母基板ＰＮを長辺ブレークポジションに搬送する。（ｄ）長辺ブレークポジションにおいて、積層母基板ＰＮの周辺スクライブ線の両側を押さえバーＢＨＢと折り曲げブレークバーＶＢＢで挟む。押さえバーＢＨＢは積層母基板ＰＮを固定し、折り曲げブレークバーＶＢＢを矢印方向に当該基板の表裏方向に変角させ、周辺破材をブレークする。次に、（ｅ）他の長辺方向のスクライブ線の両側を押さえバーＢＨＢと折り曲げブレークバーＶＢＢで挟み、押さえバーＢＨＢで積層母基板ＰＮを固定し、折り曲げブレークバーＶＢＢを同様に変角させ、２枚の短冊状の単位表示装置基板毎にブレークする。周辺破材ＷＴ１、ＷＴ２は破棄される。長辺方向の全スクライブ線に沿って基板ブレークを完了後、短辺ブレークポジションに搬送する。
【００９８】
（ｆ）短辺ブレークポジションにおいては、上記の長辺ブレークと同様にして周辺破材をブレークし、次いで、単位表示装置基板を短辺方向２枚の短冊状毎に一括ブレークし、（ｇ）個々の単位表示装置基板に分離する。周辺破材ＷＴ３、ＷＴ４は破棄される。単位表示装置基板に分離の終了後、単位表示装置基板の中間破材ブレークポジションに搬送する。なお、単位表示装置基板に分離された場合には、第２基板ＳＵＢ２の除去部分は中間破材ではないが、従来技術との対応を目逸支うにするため、この部分を中間破材と呼ぶことにする。
【００９９】
図５は図４の処理で分離された単位表示装置基板の中間破材を分離する工程の説明図である。中間破材の部分は図１の（ｂ）に示した第２の基板ＳＵＢ２の隣接する周辺部分である。図５において、（ｈ）単位表示装置基板ＰＮＬの第２の基板ＳＵＢ２の短辺の１つにスクライブ線ＳＢＬ３を加工する。（ｉ）スクライブ線ＳＢＬ３を加工した単位表示装置基板ＰＮＬを面内で９０°回転させ、（ｊ）第２の基板ＳＵＢ２の長辺の１つにスクライブ線ＳＢＬ４を加工する。全スクライブ線を加工した単位表示装置基板ＰＮＬをブレークポジションに搬送する。
【０１００】
ブレークポジションでは、（ｋ）スクライブ線ＳＬＢ４の両側を押さえバーＢＨＢと折り曲げブレークバーＶＢＢで挟む。押さえバーＢＨＢは積層母基板ＰＮを固定し、折り曲げブレークバーＶＢＢを矢印方向に当該基板の表裏方向に変角させて、第２基板ＳＵＢ２の長辺側の中間破材ＷＴ１をブレークする。（ｌ）長辺側の中間破材ＷＴ１をブレークした単位表示装置基板ＰＮＬを面内で９０°回転させる。中間破材ＷＴ１は破棄される。次に、（ｍ）短辺側の中間破材を上記と同様にしてブレークし、（ｎ）中間破材ＷＴ２を除去し、破棄する。
【０１０１】
以上したように、積層母基板および単位表示装置基板を起立させた状態でスクライブ・アンド・ブレークの各工程を経ることにより、従来技術における中間破材の中抜きが不要となり、全ての破材を端面破材として処理できる。そのため、（１）大サイズの積層母基板の長い破材の除去に伴うクラックの発生、クラックに伴う液晶の漏れが低減でき、スクライブ線の加工数が少ないことによるクラックの発生が低減する。また、分離箇所が確実となり、大形の積層母基板を用いた多数枚の単位表示装置基板とりが歩留りよく実現できる。
【実施例３】
【０１０２】
本実施例では、本発明による表示装置の製造方法及び製造装置に利用される被加工物の搬送方法及び搬送装置の一例を具体的に示す。
【０１０３】
図６は積層母基板にスクライブ線を加工しブレークして単位表示装置基板を分離する本発明の製造装置における基板搬送と加工面の反転動作の説明図である。図６において、スクライブ線の加工を行うスクライブ加工機のスクライブテーブルＳＢＴ、基板加工面の反転（傾斜角の変角）を行う反転テーブルＲＴ１、ブレーク加工機のブレークテーブルＢＫＴ、加工面反転時の基板受取りを行う反転受けテーブルＲＴ２は、鉛直方向を挟んで、その近傍（鉛直方向に対して５〜１０°反対側に傾斜させた角度）で向き合っている。動作時、上流側からスクライブテーブルＳＢＴ、反転テーブルＲＴ１、反転受けテーブルＲＴ２、ブレークテーブルＢＫＴの順に配置されている。
【０１０４】
各テーブルの下側には、スクライブ線の加工後の積層母基板ＰＮを搬送するたの各テーブル面と同様の傾斜を有するベルトコンベヤーがある。スクライブテーブルＳＢＴおよびブレークテーブルＢＫＴの下にはベルトコンベヤー自体の上下機構を伴ったベルトコンベヤーＣＯＶ１、ＣＯＶ３が、反転テーブルＲＴ１、反転受けテーブルＲＴ２の下には反転テーブルＲＴ１と同期した傾斜角で変角するベルトコンベヤーＣＯＶ２が配置されている。各テーブルには基板を保持するためのエアーの吸引および剥離のためのエアーブローを行う吸着穴を有し、図示しない真空吸着ブロー機構が配置されている。
【０１０５】
積層母基板ＰＮは鉛直方向近傍に起立させた状態でスクライブテーブルＳＢＴに吸着保持されている。この状態から、ベルトコンベヤーＣＯＶ１を上昇させて該積層母基板ＰＮの下端に接触させ、次にスクライブテーブルＳＢＴの吸着穴から極弱いエアーをブローさせながらベルトコンベヤーＣＯＶ１を下降させ、積層母基板ＰＮをベルトコンベヤーＣＯＶ１に受け渡す。この状態でベルトコンベヤーＣＯＶ１、ベルトコンベヤーＣＯＶ２を前進させると共に、スクライブテーブルＳＢＴ、反転テーブルＲＴ１の吸着穴から極弱いエアーをブローさせ、基板ＰＮを各テーブルから浮かせて搬送し、反転テーブルＲＴ１側に受け渡す。
【０１０６】
次に、基板ＰＮを反転テーブルＲＴ１に吸着させた後、ベルトコンベヤーＣＯＶ２と同期させながら反転テーブルＲＴ１の傾斜角を反転受けテーブルＲＴ２側の傾斜角近くまで変角させる。そして、この状態から反転テーブルＲＴ１の吸着を開放しことで基板ＰＮの加工面を反転すると共に、反転受けテーブルＲＴ２側に受け渡す。次に、ベルトコンベヤーＣＯＶ２、ベルトコンベヤーＣＯＶ３を前進させると共に反転受けテーブルＲＴ２、ブレークテーブルＢＫＴの吸着穴から極く弱いエアーをブローさせ、基板ＰＮを各テーブルから浮かせた状態で搬送し、ベルトコンベヤーＣＯＶ３側に受け渡す。また、受渡し完了後にベルトコンベヤーＣＯＶ２と反転テーブルＲＴ１の傾斜角度を元の状態に戻す。
【０１０７】
次に、ブレークテーブルＢＫＴの吸着穴から極く弱いエアーをブローさせながらベルトコンベヤーＣＯＶ３を上昇させ、上昇完了後にブレークテーブルＢＫＴで基板ＰＮを吸着保持させて受け渡す。ベルトコンベヤーＣＯＶ３は吸着完了後に元の位置に下降させる。
【０１０８】
尚、図６において、例えばベルトコンベヤーによる基板搬送をシャトル方式にしたり、反転テーブルや反転受けテーブルを介することなく直接スクライブテーブルＳＢＴを前進させ、変角させてブレークテーブルに受け渡すようにしてもよい。
【０１０９】
本実施例により、スクライブ・アンド・ブレークの各ポジション間の基板受渡し搬送におけるクラックの発生や局部的なギャップむらの発生を回避して高品質で歩留りの高い表示装置を得ることができる。
【実施例４】
【０１１０】
図７〜図９は本発明の表示装置の製造装置における基板ブレーク分離装置の説明図であり、図７は上面図、図８は要部正面図、図９は要部側面図である。図７〜図９において、積層母基板ＰＮはスクライブ線下降の完了後、ベルトコンベヤーで上流から搬送されてブレーク加工機に受け渡される。ベルトコンベヤーＣＯＶ２、ＣＯＶ３を駆動、停止させることで任意の分離位置に基板ＰＮを移動させる。ブレークして分離後の基板ＰＮはベルトコンベヤーＣＯＶによって下流側に搬送する。基板を搬送する際は、基板の倒れ防止のために鉛直方向に５〜１０°の傾斜角を持たせると共に、基板面の壊れを防止するために固定側の定盤ＦＢＳ、変角側定盤ＶＢＳの吸着穴からエアーブローを行い、基板を浮かせた状態で搬送する。
【０１１１】
また、基板をブレークし分離する際には、固定側の基板押さえバーＢＨＢ、変角側の基板押させバーＶＢＢを前進させ、それぞれ固定側の定盤ＦＢＳ、変角側定盤ＶＢＳとの間で基板を挟み込んだ状態でベルトコンベヤーＣＯＶ１、ＣＯＶ２を下降後退させ、スクライブ線に引張り応力を加える方向に変角側定盤ＶＢＳを変角側の基板押させバーＶＢＢ毎折り曲げてブレークする。また、このブレークにおいて発生した破材は、各基板押さえバーに吸着させた状態で当該バーを後退させ、破材収納箱ＢＸに向けてエアーブローノズルＮＺでブローしながら各バーの吸着を開放して該破材収納箱ＢＸに廃棄する。
【０１１２】
図１０は図７〜図９に示した表示装置の製造装置による基板ブレーク分離プロセスの説明図である。上記したように、（ａ）ベルトコンベヤーＣＯＶ１とベルトコンベヤーＣＯＶ２を駆動させ、積層母基板ＰＮを一本目のスクライブ線ＳＢＬ１位置まで搬送する。（ｂ）固定側の基板押さえバーＢＨＢと変角側定盤ＶＢＳとの間で基板を挟み込んだ状態でベルトコンベヤーＣＯＶ１、ＣＯＶ２を下降後退させる。（ｃ）スクライブ線ＳＢＬ１に沿って引張応力を加える方向に変角側定盤ＶＢＳを変角側の基板押させバーＶＢＢ毎折り曲げてブレークする。
【０１１３】
（ｄ）再びベルトコンベヤーＣＯＶ１とベルトコンベヤーＣＯＶ２を駆動させ、積層母基板ＰＮを二本目のスクライブ線ＳＢＬ２位置まで搬送する。（ｅ）上記（ｂ）（ｃ）を繰り返して二本目のスクライブ線ＳＢＬ２に沿ってブレークする。（ｆ）破材ＷＴを変角側の基板押させバーＶＢＢで吸着保持したまま該基板押させバーＶＢＢを後退させ、その後エアーブローを行いながら吸着を開放することで破材を破材収納箱ＢＸに廃棄する。以上を必要なスクライブ線毎に繰り返すことで積層母基板のブレークを行う。
【実施例５】
【０１１４】
図１１及び図１２は本発明の表示装置の製造方法及び製造装置の他の実施例を説明する図で、図11は製造方法を説明するための模式図、図１２は図２（ａ）に対応する製造装置の模式図である。
【０１１５】
この実施例では、被加工物を挟んで対向する位置に、スクライブホイールと、このスクライブホイールによって形成されたスクライブ線を反対側から押し広げスクライブ線の開裂を進行させるためのブレークローラとを配置し、これらを略同時もしくはブレークローラを追従させるようにして前記被加工物面を分断したい方向に移動させることで１工程での分断を可能にしたものである。
【０１１６】
図11はこの製造方法を説明するための模式図で、図11（ａ）は正面図、図11（ｂ）は側面図である。
【０１１７】
図１１において、被加工物であるガラス板ＧＰの一面をスクライブホイールＳＷＨ１で矢印方向に移動させてスクライブし、スクライブ線ＳＢＬを形成する。
【０１１８】
一方、被加工物であるガラス板ＧＰを挟んで他面側に配置されたブレークローラＢＲＲを前記他面に押圧し、この押圧状態で前記スクライブホイールＳＷＨ１と同方向で且略同時かもしくは図示の如くやや遅れて追従させ、前記スクライブ線ＳＢＬの開裂を進行させてブレークし、前記被加工物を前記スクライブ線ＳＢＬで分断する。
【０１１９】
図１２は装置内にブレークローラＢＲＲを組み込んだ本発明の製造装置の１例の模式図で、前述した図２（ａ）に対応する。
【０１２０】
図１２において、スクライブ線ＳＢＬの開裂を進行させるブレークローラＢＲＲ１は、積層母基板ＰＮの第１の基板ＳＵＢ１の主面にスクライブ線を形成するスクライブ・ホイールＳＷＨ１の反対側で、積層母基板ＰＮをその両側から挟み込む第１の保持部材ＨＢ２と同じく積層母基板ＰＮをその両側から挟み込む第２の保持部材ＢＢ２間に配置される。
【０１２１】
このブレークローラＢＲＲ１は、前記スクライブ・ホイールＳＷＨ１がスクライブする状態、すなわち積層母基板ＰＮを第１の保持部材ＨＢ１、ＨＢ２と第２の保持部材ＢＢ１、ＢＢ２で挟持して固定した状態の下で作動し、第１の基板ＳＵＢ１の主面に形成されたスクライブ線を第２の基板ＳＵＢ１の主面側から順次押圧して、前記スクライブ線の開裂を進行させる。
【０１２２】
この実施例では、積層母基板ＰＮのような被加工物を工程毎に反転、移動させること無く１工程で分断が可能となる。
【実施例６】
【０１２３】
図１３は本発明の表示装置の製造方法及び製造装置の他の実施例を説明するための模式図である。
【０１２４】
この実施例では、前記積層母基板ＰＮのような第１、第２基板の貼り合わせ構造の被加工物の分断に適した方法及び装置で、両基板を同時に並行して分断可能とした。
【０１２５】
図１３において、積層母基板ＰＮの第１の基板ＳＵＢ１の主面にスクライブ線ＳＢＬ５を形成する第１のスクライブ・ホイールＳＷＨ１と、これの前記積層母基板ＰＮを挟んで反対側に配置され、前記第１の基板ＳＵＢ１の主面に形成されたスクライブ線ＳＢＬ５の開裂を進行させる第１のブレークローラＢＲＲ１と、第２の基板ＳＵＢ２の主面にスクライブ線ＳＢＬ６を形成する第２のスクライブ・ホイールＳＷＨ２と、これの前記積層母基板ＰＮを挟んで反対側に配置され、前記第２の基板ＳＵＢ２の主面に形成されたスクライブ線ＳＢＬ６の開裂を進行させる第２のブレークローラＢＲＲ２とを備え、前記積層母基板ＰＮの第１、第２の基板を同時に並行して分断可能としている。
【０１２６】
この実施例では、積層母基板ＰＮのような被加工物を工程毎に反転、移動させること無く、しかも両主面を同時に分断が可能となる。
【実施例７】
【０１２７】
図１４及び図１５は本発明の表示装置の製造方法及び製造装置の他の実施例を説明するための模式図で、図１４は製造方法を説明するための図で、図１４（ａ）は正面図、図１４（ｂ）は側面図、図１５は図１２に対応する製造装置の模式図である。
【０１２８】
この実施例では、図１３に示す実施例に更に改良を加えたもので、スクライブ時の作業性の向上を可能にした。
【０１２９】
図１４及び図１５において、第１の基板ＳＵＢ１の主面にスクライブ線ＳＢＬ５を形成するスクライブホイールＳＷＨ１を配置したのに対し、第２の基板ＳＵＢ２に対してはその主面にスクライブ線ＳＢＬ６を形成するスクライブホイールＳＷＨ２と、これに対向して第１の基板ＳＵＢ１の主面側にスクライブ補助ローラＳＷＲ２を配置し、更にブレークローラＢＲＲ２に対向して、第１の基板ＳＵＢ１の主面側にブレーク補助ローラＢＲＲ２１を配置したものである。このブレークローラＢＲＲ２とブレーク補助ローラＢＲＲ２１とは同軸に配置されている。
【０１３０】
なお、参照符号ＣＨＵは基板分断ユニットで、二点鎖線で囲った範囲の構成を示しており、この例では第２の基板ＳＵＢ２の基板分断ユニットである。
【０１３１】
又、この実施例では前記スクライブ補助ローラＳＷＲ２は平ローラで、このスクライブ補助ローラＳＷＲ２はスクライブホイールＳＷＨ２のスクライブ時の反力押さえとして働く。
【０１３２】
一方、ブレーク補助ローラＢＲＲ２１は凹状ローラが用いられ、凸状ローラのブレークローラＢＲＲ２と対で協働してスクライブ線ＳＢＬ６の開裂の進行を促進して分断を図る。
【０１３３】
このブレークローラＢＲＲ２とブレーク補助ローラＢＲＲ２１とは前述したように同軸に配置されるが、両者の中心軸をずらすことで分断面の形状の制御も可能である。
【０１３４】
この実施例では、片側（第２の基板ＳＵＢ２）の基板のスクライブの開裂深さを他方に比べて深くすることが出来、分断の信頼性の向上が図れる。
【実施例８】
【０１３５】
図１６は本発明の表示装置の製造方法及び製造装置の他の実施例を説明するための模式図で、図１６（ａ）は正面図、図１６（ｂ）は側面図である。
【０１３６】
この図１６に示す実施例では、前述の実施例７の構成にさらに第１の基板ＳＵＢ１の基板分断ユニットＣＨＵ１を追加した構成である。
【０１３７】
この実施例では、スクライブ及び分断の信頼性の更なる向上が図れる。
【０１３８】
次に、図１７は前述の実施例５乃至８で説明した本発明のスクライブ・ローラ分断方法の一例の分断工程の説明図である。
【０１３９】
図１７において、先ず、（ａ）は第１の基板ＳＵＢ１と第２の基板ＳＵＢ２を貼り合わせてなる積層母基板ＰＮを用いる。
【０１４０】
なお、図１７では平面図とその下側に示される側面図を用いて説明する。
【０１４１】
（ｂ）は、スクライブホイールＳＨＷ１，ＳＨＷ２でスクライブを行い、並行してブレークローラでスクライブ線に開裂を進行させて分断線ＢＫＬで端部を分断し、周辺破材ＷＴは破棄する。この工程後（ｃ）に示す位置に第１の基板ＳＵＢ１にスクライブ線ＳＢＬ７を形成し、同時にもしくは追随して第２の基板ＳＵＢ２側からブレークローラで押圧して前記第１の基板ＳＵＢ１に形成されているスクライブ線ＳＢＬ７の開裂を進行させ分断する。次に（ｄ）で前記スクライブ線ＳＢＬ７から中間破材ＷＴＭ幅に相当するだけ離れた位置で両基板ＳＵＢ１，ＳＵＢ２をスクライブとブレークローラの組み合わせで分断し、及端子部分が露呈した単位表示装置基板ＰＮＬ１及び中間破材ＷＴＭを分離する。一方残部の積層母基板ＰＮの第１の基板ＳＵＢ１に（ｅ）でスクライブ線ＳＢＬ８を形成し、同時にもしくは追随して第２の基板ＳＵＢ２側からブレークローラで押圧して前記第１の基板ＳＵＢ１に形成されているスクライブ線ＳＢＬ８の開裂を進行させ分断する。このスクライブ線ＳＢＬ８で分断された端部ＷＴ５及びこの端部ＷＴ５に対応する第２の基板ＳＵＢ２の部分を端子部分に相当する寸法に（ｆ）で再度分断し、端子部分が露呈した単位表示装置基板ＰＮＬ２と、周辺破材ＷＴ５１及び周辺破材ＷＴ５２を分離する。得られた２枚の単位表示装置基板ＰＮＬ１、２の長辺端部を（ｇ）で周辺破材ＷＴ６部分で分断し、更に短辺側に端子部分を露呈するために（ｈ）で周辺破材ＷＴ７部分で分断し、長短各一辺に連続して露呈した端子部を持つ単位表示装置基板ＰＮＬ３、４を得る。次に長短各一辺に端子部を持つ単位表示装置基板ＰＮＬ３、４を（ｉ）で長辺の略中央で分断し、単位表示装置基板ＰＮＬ５と、短辺のみに端子部を持つ単位表示装置基板ＰＮＬ６を得る。この分断も勿論スクライブとブレークローラの組み合わせで行なう。分断された単位表示装置基板ＰＮＬ６の長辺端部を（ｊ）で分断し、長短各一辺に連続して端子部を持つ単位表示装置基板ＰＮＬ６１を得た後、この位表示装置基板ＰＮＬ６１の端子部の存在しない長辺端部を分断し周辺破材ＷＴ８を廃棄して単位表示装置基板ＰＮＬ７を得る。
【０１４２】
＜表示装置の製造工程の全容＞
図１８は本発明による表示装置の工程に配置される製造装置の全体構成例の説明図である。上段は装置の配置構成、下段は各工程での基板形状を示す。図１８において、符号ＬＤは搬入ポジションであり、大サイズの積層母基板ＰＮはカセットローダーで搬入される。搬入された積層母基板ＰＮは水平多間接ロボットＲＢＴ１で基板起立機ＶＳに渡されて前記した大サイズ基板→短冊状スクライブ／ブレーク装置ＭＳＣの定盤に起立される。符号ＴＦＵは前記したコンベヤーからなる基板搬送ユニット、ＳＢＴは定盤、ＳＢ／ＢＫ１は第１基板用スクライブ・アンド・ブレークユニット、ＳＢ／ＢＫ２は第２基板用スクライブ・アンド・ブレークユニットである。
【０１４３】
大サイズ基板→短冊状スクライブ／ブレーク装置ＭＳＣの下流には基板回転ユニットＳＲＲが位置している。符号ＴＴは基板回転テーブル、ＲＲは回転機構である。大サイズ基板→短冊状スクライブ／ブレーク装置ＭＳＣで短冊状にブレークされた基板は大サイズ基板→短冊状スクライブ／ブレーク装置ＭＳＣと同様の構成を有し、処理サイズが短冊状基板に対応した短冊→単位表示装置基板スクライブ／ブレーク装置ＳＰＣに渡される。短冊→単位表示装置基板スクライブ／ブレーク装置ＳＰＣで単位表示装置基板に分離された基板（単位表示装置基板）は端子部破材すなわち中間破材のスクライブ・アンド・ブレーク装置ＷＴＣに渡され、前記したように中間破材が分離される。中間破材のスクライブ・アンド・ブレーク装置ＷＴＣは第２基板にみにスクライブ・アンド・ブレークを行う構成を有し、スクライブ線の加工とブレーク加工は上流のスクライブ・アンド・ブレーク装置と略同様の構造を有する。スクライブ・アンド・ブレーク装置ＭＳＣ、ＳＰＣ、ＷＴＣでの基板９０度回転は基板回転装置ＳＲＲで行われる。
【０１４４】
破材を分離した個々の単位表示装置基板は基板水平戻し装置ＨＳに渡されて水平に戻される。水平に戻された単位表示装置基板は水平多間接ロボットＲＢＴ２で面取り／コーナーカット加工装置ＦＣＭに渡され、図示したように面取りとコーナーカットがなされる。その後、基板洗浄装置ＲＣで洗浄された後、水平多間接ロボットＲＢＴ３で基板カセットアンローダーＵＤに収納される。
【０１４５】
なお、以上は液晶表示装置のガラス基板を例として説明したが、本発明はこれに限定されるものではなく、大サイズの積層母基板を用いる各種の表示装置、あるいはその他の積層基板の分離にも同様に適用可能であることは言うまでもない。
【図面の簡単な説明】
【０１４６】
【図１】本発明によるスクライブ線の加工形態の説明図である。
【図２】本発明による表示装置の製造方法の実施例１における積層母基板から単位表示装置基板を分離する工程の説明図である。
【図３】本発明による表示装置の製造方法の実施例１における単位表示装置基板から不要部分（破材）を分離する工程の説明図である。
【図４】本発明による表示装置の製造方法の実施例２における積層母基板から単位表示装置基板を分離する工程の説明図である。
【図５】本発明による表示装置の製造方法の実施例２における単位表示装置基板から不要部分（破材）を分離する工程の説明図である。
【図６】本発明による表示装置の製造方法の実施例３における被加工物（積層母基板）の搬送とその加工面の反転動作の説明図である。
【図７】本発明の表示装置の製造装置における基板ブレーク分離装置の上面を示す説明図である。
【図８】本発明の表示装置の製造装置における基板ブレーク分離装置の要部正面を示す説明図である。
【図９】本発明の表示装置の製造装置における基板ブレーク分離装置の要部側面を示す説明図である。
【図１０】図７〜図９に示した表示装置の製造装置による基板ブレーク分離プロセスの説明図である。
【図１１】本発明の表示装置の製造方法を説明するための模式図である。
【図１２】本発明の表示装置の製造装置における図２（ａ）に対応する模式図である。
【図１３】本発明の表示装置の製造方法及び製造装置の他の実施例を説明するための模式図である。
【図１４】本発明の表示装置の製造方法を説明するための模式図で、図１４（ａ）は正面図、図１４（ｂ）は側面図である
【図１５】本発明の表示装置の製造装置における図１２に対応する模式図である。
【図１６】本発明の表示装置の製造装置を説明するための模式図で、図１６（ａ）は正面図、図１６（ｂ）は側面図である。
【図１７】本発明のスクライブ・ローラ分断方法の一例の分断工程の説明図である。
【図１８】本発明による表示装置の工程に配置される製造装置の全体構成例の説明図である。
【図１９】従来のスクライブ・アンド・ブレーク法におけるスクライブ線の加工例の説明図である。
【図２０】スクライブ線を加工した積層母基板をブレークして単位表示装置基板に分離する工程の説明図である。
【図２１】スクライブ・アンド・ブレーク法を用いた基板分離例を図１３の中間破材部分のブレークの説明図である。
【図２２】従来のスクライブ・アンド・ブレーク法による不整ブレークの一例を説明する平面図である。
【図２３】従来のスクライブ・アンド・ブレーク法における基板取扱い途上での典型的な傷発生例の説明図である。
【図２４】スクライブ線を加工した積層母基板の基板割れ発生例と中間破材の除去困難性の説明図である。
【符号の説明】
【０１４７】
ＰＮ・・・・積層母基板、ＳＵＢ１・・・・第１の基板、ＳＵＢ２・・・・第２の基板、ＳＢＬ１，ＳＢＬ２・・・・スクライブ線、ＷＴ１，ＷＴ２，ＷＴ３，ＷＴ４・・・・周辺破材、ＢＲＲ・・・・ブレークローラ。
【図１】
2004348111.tif 000003
【図２】
2004348111.tif 000004
【図３】
2004348111.tif 000005
【図４】
2004348111.tif 000006
【図５】
2004348111.tif 000007
【図６】
2004348111.tif 000008
【図７】
2004348111.tif 000009
【図８】
2004348111.tif 000010
【図９】
2004348111.tif 000011
【図１０】
2004348111.tif 000012
【図１１】
2004348111.tif 000013
【図１２】
2004348111.tif 000014
【図１３】
2004348111.tif 000015
【図１４】
2004348111.tif 000016
【図１５】
2004348111.tif 000017
【図１６】
2004348111.tif 000018
【図１７】
2004348111.tif 000019
【図１８】
2004348111.tif 000020
【図１９】
2004348111.tif 000021
【図２０】
2004348111.tif 000022
【図２１】
2004348111.tif 000023
【図２２】
2004348111.tif 000024
【図２３】
2004348111.tif 000025
【図２４】
2004348111.tif 000026